(57)【要約】  本発明は、主に、水の高温可逆電解用システム（１０）に関し、水素の生成及び電気の貯蔵のためにＳＯＥＣ（固体酸化物電解槽セル）モードで、及び／又は、水素の引出し及び電気の生成のためにＳＯＦＣ（固体酸化物形燃料電池）モードで作動するように構成された高温可逆電解槽（１１）；可逆電解槽と熱的に結合された水素化物タンク（１２）；を含み、システムは、ＳＯＥＣモードで可逆電解槽に入ることが意図された加圧蒸気を生成するために水素の吸収中に水素化物タンクによって放出された熱の回収を可能にするように、また、ＳＯＦＣモードで可逆電解槽から１つ又は複数の出て行く蒸気によって放出された熱の回収を可能にして水素化物タンクから水素を脱着できるようにするように構成されていることを特徴とする。
2019534940.tif 000002
【特許請求の範囲】
【請求項１】
−水素の生成、故に電気の貯蔵のために固体酸化物電解槽（ＳＯＥＣ）モードで、及び／又は、水素の消費、故に電気の引出しのために固体酸化物形燃料電池（ＳＯＦＣ）モードに従って作動するように構成された、高温可逆電解槽（１１）を形成する装置であって、前記可逆電解槽（１１）は、２〜１５ｂａｒ、特に８〜１２ｂａｒの圧力下で作動するように構成されている、装置と、
−前記可逆電解槽（１１）と熱的に結合され、前記可逆電解槽（１１）の固体酸化物電解槽（ＳＯＥＣ）モードでは水素化物の形態で水素を貯蔵し、及び／又は、前記可逆電解槽（１１）の固体酸化物形燃料電池（ＳＯＦＣ）モードでは水素を放出するように構成された水素化物タンク（１２）と、
を含むことを特徴とする、水の高温可逆電解用システム（１０）であって、
前記可逆電解槽（１１）が固体酸化物電解槽（ＳＯＥＣ）モードで作動するように構成されている場合には、前記可逆電解槽（１１）に入ることが意図された加圧蒸気を生成するために水素の吸収中に前記水素化物タンク（１２）によって放出された熱の回収を可能にするように、また、前記可逆電解槽（１１）が固体酸化物形燃料電池（ＳＯＦＣ）モードで作動するように構成されている場合には、前記水素化物タンク（１２）からの水素の脱着を可能にするために前記可逆電解槽（１１）を出る流れによって放出された熱の回収を可能にするように構成されている、システム（１０）。
【請求項２】
前記可逆電解槽（１１）は、カソード（２．１、２．２）、アノード（４．２）、及び前記カソードと前記アノードとの間に挿入された電解質（３．２）によってそれぞれ形成された基本固体酸化物電気化学セル（Ｃ１、Ｃ２）と、２つの隣接する基本セル間にそれぞれ配置された複数の電気的及び流体的相互接続体（５）と、のスタックを含むことを特徴とする、請求項１に記載のシステム。
【請求項３】
前記可逆電解槽（１１）は、固体酸化物電解槽（ＳＯＥＣ）モードで作動するように構成されており、前記システムは、そして、
−蒸気発生器（１８）であって、水素の吸収中に前記水素化物タンク（１２）によって放出され、また、熱伝達流体（ＦＣ）によって前記蒸気発生器（１８）に供給される熱を用いて、前記可逆電解槽（１１）用の蒸気を生成することを目的とする、蒸気発生器（１８）
を含むことを特徴とする、請求項１又は２に記載のシステム。
【請求項４】
それはまた、
−前記可逆電解槽（１１）を出る水素（Ｈ２）及び酸素（Ｏ２）の流れを用いて、前記システム（１０）の入口における水（Ｈ２Ｏｔоｔａｌ）を予熱し、及び／又は前記可逆電解槽（１１）に入る蒸気を過熱することを可能にする、１つ又は複数の熱交換器（１６、１７、２０、２１）
を含むことを特徴とする、請求項３に記載のシステム。
【請求項５】
それは、前記可逆電解槽（１１）を出る水素（Ｈ２）及び酸素（Ｏ２）の流れを用いて、前記システム（１０）の入口における水（Ｈ２Ｏｔоｔａｌ）を予熱し、かつ前記可逆電解槽（１１）に入る蒸気を過熱することを可能にする、前記蒸気発生器（１８）の上流及び下流の熱交換器（１６、１７、２０、２１）をそれぞれ含むことを特徴とする、請求項４に記載のシステム。
【請求項６】
それはまた、
−前記可逆電解槽（１１）内の未反応蒸気と前記可逆電解槽（１１）によって生成された二水素（Ｈ２）とを受け取り、未反応水（Ｈ２Ｏｒｅｃоｖ）を凝縮させて前記システム（１０）内で再利用できるようにするように意図された、相分離器（１３）に結合された凝縮器（２３）
を含むことを特徴とする、請求項３〜５の何れか１項に記載のシステム。
【請求項７】
それはまた、
−前記システム（１０）の入口における水（Ｈ２Ｏｔоｔａｌ）を２〜１５ｂａｒの圧力に圧縮するように意図された圧縮ポンプ（１４）
を含むことを特徴とする、請求項３〜６の何れか１項に記載のシステム。
【請求項８】
それはまた、
−特に８００℃までの蒸気のさらなる過熱を提供する、前記可逆電解槽（１１）の上流における電気加熱要素（２２）
を含むことを特徴とする、請求項３〜７の何れか１項に記載のシステム。
【請求項９】
それはまた、
−前記水素化物タンク（１２）の上流及び相分離器（１３）の下流における、前記水素化物タンク（１２）に貯蔵する前に二水素（Ｈ２）に含まれる湿気を除去することを可能にするように意図された乾燥機（２４）
を含むことを特徴とする、請求項６〜８の何れか１項に記載のシステム。
【請求項１０】
前記可逆電解槽（１１）は、加圧固体酸化物形燃料電池（ＳＯＦＣ）モードで作動するように構成されており、前記システム（１０）は、そして、
−前記可逆電解槽（１１）を出る少なくとも１つの流れを用いて前記可逆電解槽（１１）に入る少なくとも１つの流れを予熱するように意図された、少なくとも１つの熱交換器（３０、３８、４７、９０）
を含むことを特徴とする、請求項１又は２に記載のシステム。
【請求項１１】
前記可逆電解槽（１１）は、固体酸化物形燃料電池（ＳＯＦＣ）モードで作動するように構成されており、前記システム（１０）は、そして、
−特に前記水素化物タンク（１２）からの水素の脱着を可能にするために、少なくとも１つの熱伝達流体（ＦＣ）を用いて前記可逆電解槽（１１）を出る少なくとも１つの流れから来る高温熱を回収するように意図された、少なくとも１つの熱交換器（３１、３９、４９、９１）
を含むことを特徴とする、請求項１又は２に記載の、又は請求項１０に記載のシステム。
【請求項１２】
前記可逆電解槽（１１）は、固体酸化物形燃料電池（ＳＯＦＣ）モードで作動するように構成されており、前記システム（１０）は、二水素回路と一次空気回路とからなる「圧縮空気再循環システム」であることを特徴とする、請求項１又は２に記載のシステム。
【請求項１３】
前記可逆電解槽（１１）は、固体酸化物形燃料電池（ＳＯＦＣ）モードで作動するように構成されており、前記システム（１０）は、「三流」相互接続体（５）を使用する、二水素回路と、一次空気回路と、冷却回路とからなる「三流システム」であることを特徴とする、請求項１又は２に記載のシステム。
【請求項１４】
前記二水素回路は、
−２〜１５ｂａｒの圧力範囲にわたって、前記水素化物タンク（１２）から来る水素と前記可逆電解槽（１１）内の未消費水素（Ｈ２ｒｅｓｉｄｕｅｌ）の全リサイクルとを混合するための手段（Ｍ１）と、
−前記可逆電解槽（１１）を出る二水素流（Ｈ２）を用いて前記可逆電解槽（１１）に入る二水素流（Ｈ２ｔоｔａｌ）を予熱するように意図された熱交換器（３０）と、
−少なくとも１つの熱伝達流体（ＦＣ）を用いて前記可逆電解槽（１１）を出る二水素流（Ｈ２）から高温熱を回収するように意図された、熱回収要素を形成する熱交換器（３１）と、
を含むことを特徴とする、請求項１２又は１３に記載のシステム。
【請求項１５】
それはまた、相分離器（３４）を出る水素流（Ｈ２）によって熱回収要素を形成する熱交換器（３１）を出る二水素流（Ｈ２）を冷却し、生成された水の回収を可能にするように意図された熱交換器（３３）を含むことを特徴とする、請求項１４に記載のシステム。
【請求項１６】
前記一次空気回路は、
−前記可逆電解槽（１１）を出る空気流を用いて前記可逆電解槽（１１）に入る空気流を予熱するように意図された熱交換器（３８）と、
−少なくとも１つの熱伝達流体（ＦＣ）を用いて前記可逆電解槽（１１）を出る空気流から来る高温熱を回収するように意図された、熱回収要素を形成する熱交換器（３９）と、
を含むことを特徴とする、請求項１２に記載のシステム。
【請求項１７】
それはまた、前記熱回収要素を形成する熱交換器（３９）を出る空気流と補足酸素（ＦＯ２）とを混合するための手段であって、前記可逆電解槽（１１）に入る全空気流を形成する、混合手段（Ｍ１）を含むことを特徴とする、請求項１６に記載のシステム。
【請求項１８】
それはまた、
−混合手段（Ｍ１）によって混合された全空気流を冷却することを可能にする、熱交換器（４０）及び冷却装置（４１）と、
−予熱のために前記熱交換器（４０）に注入する前に前記冷却装置（４１）を出る空気を圧縮することを可能にする圧縮ポンプ（４２）と、
を含むことを特徴とする、請求項１７に記載のシステム。
【請求項１９】
前記一次空気回路は、
−前記可逆電解槽（１１）を出る空気流を用いて前記可逆電解槽（１１）に入る空気流を予熱するように意図された熱交換器（４７）と、
−少なくとも１つの熱伝達流体（ＦＣ）を用いて前記可逆電解槽（１１）を出る空気流から来る熱を回収するように意図された、熱回収要素を形成する熱交換器（４９）と、
を含むことを特徴とする、請求項１３に記載のシステム。
【請求項２０】
前記冷却回路は、
−前記可逆電解槽（１１）を出る熱流（Ｆｈоｔ）を用いて前記可逆電解槽（１１）に入る流れ（Ｆｉｎｃоｍｉｎｇ）を予熱するように意図された熱交換器（９０）と、
−少なくとも１つの熱伝達流体（ＦＣ）を用いて前記可逆電解槽（１１）を出る熱流（Ｆｈоｔ）から来る熱を回収するように意図された、熱回収要素を形成する熱交換器（９１）と、
−前記熱交換器（９１）を出る熱流（Ｆｈоｔ）を冷却するように意図された、熱交換器（９２）及び冷却装置（９３）と、
−前記熱交換器（９２）を出る熱流（Ｆｈоｔ）を冷却するために、前記熱交換器（９２）及び過冷却装置（９３）を出る流れを圧縮して圧縮流体流（Ｆｃｏｍｐｒｅｓｓｅｄ）を形成するように意図された、圧縮ポンプ（９４）と、
を含むことを特徴とする、請求項１３に記載のシステム。
【請求項２１】
水の高温可逆電解による電気の貯蔵及び／又は電気の引出しのための方法であって、請求項１〜２０の何れか１項に記載の水の高温可逆電解用システム（１０）を用いて実施され、
−加圧可逆電解槽（１１）が固体酸化物電解槽（ＳＯＥＣ）モードである場合に、前記可逆電解槽（１１）に入るように意図された加圧蒸気を生成するために水素の吸収中に前記水素化物タンク（１２）によって放出された熱を回収するステップと、
−加圧可逆電解槽（１１）が固体酸化物形燃料電池（ＳＯＦＣ）モードで作動するように構成されている場合に、前記水素化物タンク（１２）からの水素の脱着を可能にするために前記可逆電解槽（１１）を出る流れによって放出された熱を回収するステップと、
を含むことを特徴とする、方法。
【請求項２２】
電気貯蔵モードに従って実施され、前記高温可逆電解槽（１１）は、固体酸化物電解槽（ＳＯＥＣ）モードで作動するように構成されており、水素を生成することで電気を貯蔵するために蒸気の高温電解反応を行うステップを含むことを特徴とする、請求項２１に記載の方法。
【請求項２３】
請求項５、６及び７の何れか１項に記載の水の高温可逆電解用システム（１０）を用いて実施され、以下の一連のステップ：
−注入水（Ｈ２Ｏ）と相分離器（１３）からの再循環水（Ｈ２Ｏｒｅｃоｖ）とを含む前記システム（１０）の全水（Ｈ２Ｏｔоｔａｌ）を圧縮ポンプ（１４）内に導入し、２〜１５ｂａｒの圧力にするステップと、
−前記可逆電解槽（１１）を出る水素（Ｈ２）及び酸素（Ｏ２）の流れを用いて、前記システム（１０）の入口における水（Ｈ２Ｏｔоｔａｌ）の予熱を可能にするために、熱交換器（１６、１７）を通して前記システム（１０）の全水（Ｈ２Ｏｔоｔａｌ）を循環させるステップと、
−前記システム（１０）の入口における水（Ｈ２Ｏｔоｔａｌ）を蒸気発生器（１８）内に導入し、水素の吸収中に前記水素化物タンク（１２）によって放出され、また、熱伝達流体（ＦＣ）によって前記蒸気発生器（１８）に供給される熱を用いて前記可逆電解槽（１１）用の加圧蒸気を生成するステップと、
−前記可逆電解槽（１１）を出る水素（Ｈ２）及び酸素（Ｏ２）の流れを用いて、前記可逆電解槽（１１）に入る前に蒸気の過熱を可能にするために熱交換器（２０、２１）を通して蒸気を循環させるステップと、
−電気加熱要素を使用することによって前記電解槽（１１）の作動温度に到達するように蒸気を追加で過熱するステップと、
−水素（Ｈ２）及び酸素（Ｏ２）の流れを生成するために前記可逆電解槽（１１）に加圧蒸気を導入するステップと、
−熱交換器（１６、１７、２０、２１）を用いて水素（Ｈ２）及び酸素（Ｏ２）の流れを冷却するステップと、
−前記相分離器（１３）内で未反応の加圧蒸気を凝縮させて、前記システム（１０）内に再導入される再循環水（Ｈ２Ｏｒｅｃоｖ）を生成するステップと、
−生成及び乾燥された水素（Ｈ２）を前記水素化物タンク（１２）内に貯蔵するステップと、
を含むことを特徴とする、請求項２２に記載の方法。
【請求項２４】
電気引出しモードに従って実施され、前記高温可逆電解槽（１１）は固体酸化物形燃料電池（ＳＯＦＣ）に従って作動するように構成されており、水素を引き出すことで電気を生成するために蒸気の高温電解の逆反応を生じさせるステップを含むことを特徴とする、請求項２１に記載の方法。
【請求項２５】
請求項１２に記載の水の高温可逆電解用システム（１０）を用いて実施され、前記システム（１０）はまた、請求項１４〜１８の何れか１項にも従っており、以下の一連のステップ：
・二水素（Ｈ２）回路用：
−混合手段（Ｍ１）を用いて、前記水素化物タンク（１２）から来る水素と前記可逆電解槽（１１）内の未消費水素（Ｈ２ｒｅｓｉｄｕｅｌ）の全リサイクルとを混合するステップ、
−熱交換器（３０）を通して全水素（Ｈ２ｔоｔａｌ）を注入し、前記可逆電解槽（１１）を出る水素流（Ｈ２）によってそれを予熱することを可能にするステップ、
−全水素（Ｈ２ｔоｔａｌ）を前記可逆電解槽（１１）内に、その消費と、水、電気、及び熱の生成とのために注入するステップ、
−予熱熱交換器（３０）によって、前記可逆電解槽（１１）を出る水素流を冷却するステップ、
−熱伝達流体（ＦＣ）との交換により熱の回収を可能にする、熱回収要素を形成する熱交換器（３１）によって、前記予熱熱交換器（３０）を出る水素流を冷却するステップ、
−相分離器（３４）から来る、生成された水流から水素流（Ｈ２ｒｅｓｉｄｕｅｌ）を分離するステップ、
−水頭損失の値に対してのみそれを再圧縮することによって、未消費水素を再循環させるステップ、
・一次空気回路用：
−前記可逆電解槽（１１）に入る圧縮空気によって冷却されるように、冷却熱交換器（３８）を通して前記可逆電解槽（１１）を出る空気を注入するステップ、
−熱伝達流体（ＦＣ）が通過する熱回収要素を形成する熱交換器（３９）を通して、前記冷却熱交換器（３８）を出る空気を注入するステップ、
−混合手段（Ｍ１）によって、熱回収要素を形成する熱交換器（３９）を出る空気と、追加の圧縮空気流（ＦＯ２）とを混合するステップ、
−水頭損失を補填し、かつ混合手段（Ｍ１）の下流の冷却熱交換器（４０）に注入される圧縮空気を得るために、前記混合物を熱交換器（４０）、次いで冷却装置（４１）、次いで圧縮ポンプ（４２）に注入するステップ、
−前記冷却熱交換器（４０）から来る空気を熱交換器（３８）内に注入して予熱し、次いで、それを２〜１５ｂａｒの目標圧力で前記可逆電解槽（１１）内に注入するステップ、
を含むことを特徴とする、請求項２４に記載の方法。
【請求項２６】
請求項１３に記載の水の高温加圧可逆電解用の「三流システム」（１０）を用いて実施され、前記システム（１０）はまた、請求項１４、１５、１９及び２０の何れか１項にも従っており、以下の一連のステップ：
・二水素（Ｈ２）回路用：
−混合手段（Ｍ１）を用いて、２〜１５ｂａｒの目標圧力で、前記水素化物タンク（１２）から来る水素と前記可逆電解槽（１１）内の未消費水素（Ｈ２ｒｅｓｉｄｕｅｌ）の全リサイクルとを混合するステップ、
−熱交換器（３０）を通して２〜１５ｂａｒの目標圧力で全水素（Ｈ２ｔоｔａｌ）を注入し、前記可逆電解槽（１１）を出る水素流（Ｈ２）によってそれを予熱することを可能にするステップ、
−２〜１５ｂａｒの目標圧力で全水素（Ｈ２ｔоｔａｌ）を前記可逆電解槽（１１）内に、その消費と、水、電気、及び熱の生成とのために注入するステップ、
−予熱熱交換器（３０）によって、前記可逆電解槽（１１）を出る水素流を冷却するステップ、
−熱伝達流体（ＦＣ）との交換により熱の回収を可能にする、熱回収要素を形成する熱交換器（３１）によって、前記予熱熱交換器（３０）を出る水素流を冷却し、ステップ、
−相分離器（３４）から来る、生成された水流から水素流（Ｈ２ｒｅｓｉｄｕｅｌ）を分離するステップ、
−アセンブリの水頭損失の値に対してのみそれを再圧縮することによって、未消費水素を再循環させるステップ、
・一次空気回路用：
−周囲空気（Ｆａｉｒ１）を圧縮ポンプ（４８）内に注入し、２〜１５ｂａｒの圧力にするステップと、
−前記可逆電解槽（１１）を出る空気流を用いて、予熱熱交換器（４７）に入る空気を予熱するステップ、
−前記目標圧力で前記可逆電解槽（１１）に入る予熱空気を注入するステップ、
−前記予熱熱交換器（４７）内で前記可逆電解槽（１１）を出る空気を冷却するステップ、
−少なくとも１つの熱伝達流体（ＦＣ）を用いて熱を得るために、熱回収要素である熱交換器（４９）を通して前記予熱熱交換器（４７）を出る空気を冷却するステップ、
−出て行く空気（Ｆａｉｒ２）を排出する前に、熱回収要素を形成する熱交換器（４７）を出る空気をガスタービン（４３）内に注入するステップ、
・冷却回路：
−前記可逆電解槽（１１）に入る流体（Ｆｉｎｃоｍｉｎｇ）によって、予熱熱交換器（９０）を通して前記可逆電解槽（１１）を出る熱流（Ｆｈоｔ）を冷却するステップ、
−少なくとも１つの熱伝達流体（ＦＣ）を用いて、熱回収要素を形成する熱交換器（９１）内で前記予熱熱交換器（９０）を出る流れを冷却するステップ、
−再圧縮流体流（Ｆｃｏｍｐｒｅｓｓｅｄ）によって熱交換器（９２）内で、前記熱回収要素を形成する熱交換器（９１）を出る流れを全て冷却するステップ、
−再圧縮流体流（Ｆｃｏｍｐｒｅｓｓｅｄ）が通過する前記熱交換器（９２）を出る流れを過冷却装置（９３）内、次いで圧縮ポンプ（９４）内に注入するステップ、
−２〜１５ｂａｒ、特に８〜１２ｂａｒの目標圧力で前記可逆電解槽（１１）に入る前に、前記可逆電解槽（１１）を出る流れによって前記圧縮ポンプ（９４）を出る流れを予熱するステップ、
を含むことを特徴とする、請求項２４に記載の方法。
【発明の詳細な説明】
【技術分野】
【０００１】
本発明は、水の高温電解（ＨＴＥ）、特に高温水蒸気電解（ＨＴＳＥ）の一般分野に関する。
【０００２】
それはまた、固体酸化物形燃料電池（ＳＯＦＣ）の分野にも関する。
【０００３】
より具体的には、本発明は、水素の生成及び／又は消費をもたらす、水の可逆電解による電気の貯蔵及びその供給、又はその引出しに関する。
【０００４】
従って、本発明は、可逆電解槽を形成する装置と、前記電解槽と熱的に結合された水素化物タンクと、を含む水の高温可逆電解用システム、並びに関連する可逆電解プロセスを提案する。
【背景技術】
【０００５】
水を電気分解するためには、典型的には６００〜９５０℃の間の高温で行うのが有利であるが、なぜなら、液体水よりも水蒸気を電気分解することがより有利であり（１５％）、また、反応に必要なエネルギーの一部を、電気よりも安価である熱によって供給することができるからである。
【０００６】
水の高温電解（ＨＴＥ）を実施するために、基本パターンのスタックからなる高温固体酸化物電解槽（ＳＯＥＣ）を使用することが知られており、基本パターンのスタックはそれぞれ、互いに重ね合わされた３つのアノード／電解質／カソード層と、バイポーラプレート又は相互接続体（ｉｎｔｅｒｃｏｎｎｅｃｔｏｒ）とも呼ばれる金属合金相互接続プレートと、からなる固体酸化物電解セルを含む。固体酸化物形燃料電池（ＳＯＦＣ）は、同じ種類の基本パターンのスタックからなる。
【０００７】
相互接続体又は相互接続プレートとも呼ばれる電気的及び流体的相互接続装置が、高温固体酸化物電解槽（ＳＯＥＣ）又は固体酸化物形燃料電池（ＳＯＦＣ）の基本パターンのスタック内の基本パターンを有する各電気化学セルを電気的観点から直列に、及び流体的観点から並列に接続することを確実にすることで各セルの製造を組み合わせる装置であることは、明記されるべきである。相互接続体はこのようにして、電流を供給及び収集する機能を確実にし、分配及び／又は収集のためのガス循環区画を画定する。
【０００８】
より具体的には、相互接続体は、各セルの近傍における電流の通過及びガスの循環の両方（具体的には：ＨＴＥ電解に対して注入された水蒸気、ＨＴＥ電解に対して抽出された水素及び酸素；ＳＯＦＣセルに対して注入された水素及びＳＯＦＣセルに対して抽出された水を含む空気及び燃料）を確実にするように、また、セルのアノード側及びカソード側でそれぞれガスを循環させるための区画であるアノード区画とカソード区画とを分離するように設計される。
【０００９】
高温水蒸気電解（ＨＴＳＥ）の場合、水蒸気（Ｈ２Ｏ）がカソード区画内に注入される。セルに印加された電流の影響下で、水素電極（カソード）と電解質との間の界面において、水蒸気の形態で水分子の解離が生じる：この解離は、二水素ガス（Ｈ２）と酸素イオン（Ｏ２−）とを生成する。二水素（Ｈ２）が収集され、水素区画の出口で排出される。酸素イオン（Ｏ２−）は電解質を通って移動し、電解質と酸素電極（アノード）との間の界面において再結合して二酸素（Ｏ２）を形成する。空気などの排出ガスは、アノードで循環することができ、従って、ガス形態で発生した酸素をアノードで収集することができる。
【００１０】
固体酸化物形燃料電池（ＳＯＦＣ）の動作を確実にするために、空気（酸素）がセルのカソード区画内に注入され、水素がアノード区画内に注入される。空気の酸素は解離して、Ｏ２−イオンになる。これらのイオンは、電解質内でカソードからアノードへと移動して、同時に電気を生成しながら水素を酸化して水を形成する。ＳＯＦＣスタックでは、ＳＯＥＣ電解と全く同じように、水蒸気が二水素（Ｈ２）区画内で見られる。極性だけが反転している。
【００１１】
例として、図１は、高温固体酸化物電解槽（ＳＯＥＣ）の動作原理の概略図を示す。そのような電解槽は、電流の影響下で水素（及び酸素）を生成するための電気化学的装置である。これらの電解槽では、水の高温電解が水蒸気を用いて行われる。従って、このような電解槽の機能は、以下の電気化学反応に従って、水蒸気を水素及び酸素に転化することである：
２Ｈ２Ｏ→２Ｈ２＋Ｏ２。
【００１２】
この反応は、電解槽のセル内で電気化学的に起こる。図１に概略的に示すように、各基本電解セル１は、固体電解質３の両側に配置されたカソード２とアノード４とによって形成される。２つの電極（カソード及びアノード）２及び４は、多孔質材料から作られた電子伝導体及び／又はイオン伝導体であり、電解質３は、ガス、電子絶縁体及びイオン伝導体に対して不浸透性である。電解質３は、特にアニオン伝導体、より具体的にはＯ２−イオンのアニオン伝導体であり得、電解槽はそして、プロトン電解質（Ｈ＋）とは対照的に、アニオン電解槽と呼ばれる。
【００１３】
電気化学反応は、各電子伝導体とイオン伝導体との間の界面で起こる。
【００１４】
カソード２において、半反応は以下の通りである：
２Ｈ２Ｏ＋４ｅ−→２Ｈ２＋２Ｏ２−。
【００１５】
アノード４において、半反応は以下の通りである：
２Ｏ２−→Ｏ２＋４ｅ−。
【００１６】
２つの電極２及び４の間に挿入された電解質３は、アノード４とカソード２との間に印加された電位差によって作り出される電界の影響下で、Ｏ２−イオンの移動の場所である。
【００１７】
図１の括弧内に示すように、カソード入口の水蒸気は水素Ｈ２を伴うことができ、出口で生成及び回収される水素は水蒸気を伴うことができる。同様に、点線で示すように、生成された酸素を放出させるために、空気などの排出ガスを入口に注入することもできる。排出ガスの注入は、温度調節器として作用するという追加の機能を有する。
【００１８】
基本電解槽、又は電解反応器は、カソード２と、電解質３と、アノード４とを有する上記のような基本セルと、電気的、油圧的（ｈｙｄｒａｕｌｉｃ）及び熱的分配機能を提供する２つのモノポーラ接続体と、からなる。
【００１９】
生成される水素及び酸素の流量を増加させるために、複数の基本電解セルを互いの上に積み重ね、相互接続体又はバイポーラ相互接続プレートと通常呼ばれる相互接続装置でそれらを分離することが知られている。アセンブリは、電解槽（電解反応器）の電気供給及びガス供給を支持する２つの端部相互接続プレートの間に配置されている。
【００２０】
従って、高温固体酸化物電解槽（ＳＯＥＣ）は、互いの上に積み重ねられた少なくとも１つの、一般的には複数の電解セルを含み、各基本セルは、電解質、カソード及びアノードから形成されており、電解質はアノードとカソードとの間に挿入されている。
【００２１】
上記のように、１つ又は複数の電極と電気的に接触している流体的及び電気的相互接続装置は、一般に、電流を供給及び収集する機能を果たし、また、１つ又は複数のガス循環区画を画定する。
【００２２】
従って、いわゆるカソード区画の機能は、電流及び水蒸気を分配し、並びに、接触しているカソードで水素を回収することである。
【００２３】
いわゆるアノード区画の機能は、電流を分配し、また、接触しているアノードで酸素を、場合により排出ガスを用いて回収することである。
【００２４】
図２は、従来技術による高温固体酸化物電解槽（ＳＯＥＣ）の基本パターンの分解図を示す。この電解槽は、相互接続体５と交互に積み重ねられた固体酸化物（ＳＯＥＣ）型の複数の基本電解セルＣ１、Ｃ２を含む。各セルＣ１、Ｃ２は、カソード２．１、２．２と、アノード（セルＣ２のアノード４．２のみが示されている）と、からなり、それらの間に電解質が配置されている（セルＣ２の電解質３．２のみが示されている）。
【００２５】
相互接続体５は、相互接続体５と隣接するカソード２．１との間、及び相互接続体５と隣接するアノード４．２との間の容積によってそれぞれ画定される、カソード区画５０とアノード区画５１との間の分離を確実にする金属合金製の構成要素である。それはまた、セルへのガスの分配を確実にする。各基本パターンへの水蒸気の注入は、カソード区画５０内で起こる。カソード２．１、２．２における生成された水素及び残留水蒸気の収集は、それによる水蒸気の解離の後、セルＣ１、Ｃ２の下流のカソード区画５０内で行われる。アノード４．２で生成された酸素の収集は、それによる水蒸気の解離の後、セルＣ１、Ｃ２の下流のアノード区画５１内で起こる。相互接続体５は、隣接する電極と、すなわちアノード４．２とカソード２．１との間で直接接触することによって、セルＣ１とＣ２との間の電流の通過を確実にする。
【００２６】
図３は、従来技術による固体酸化物形燃料電池（ＳＯＦＣ）の基本パターンの分解図を示す。図２と同じ基本パターンが、基本スタックＣ１、Ｃ２のセル及び相互接続体５を有するＳＯＦＣ燃料電池に対して与えられる。そして、図２を参照して上述した電解槽のカソード２．１、２．２が、ＳＯＦＣセルに対するアノードとして使用され、アノード４．１、４．２がカソードとして使用される。従って、ＳＯＦＣセルモードでの動作のために、各基本パターンへの酸素を含む空気の注入は、カソード区画５１となった区画で起こる。アノードで生成された水の収集は、セルＣ１、Ｃ２の上流の各アノード区画５０内にアノード２．２において注入された二水素Ｈ２と電解質３．２を通過したＯ２−イオンの水への再結合後、セルＣ１、Ｃ２の下流のアノード区画５０となった区画で起こる。水の再結合で生じた電流は、相互接続体５によって収集される。
【００２７】
高温固体酸化物電解槽（ＳＯＥＣ）の動作条件は固体酸化物形燃料電池（ＳＯＦＣ）の動作条件と非常に類似しているため、同じ技術的制約が見られる：すなわち、主に、異なる材料（セラミック及び金属合金）のスタックの温度及び熱サイクルにおける機械強度、アノード区画及びカソード区画の不浸透性の維持、金属相互接続体のエイジングに対する抵抗性、及びスタックの様々な界面におけるオーム損失の最小化。
【００２８】
重大な制約は、水素の酸化反応が非常に発熱性である固体酸化物形燃料電池（ＳＯＦＣ）、又は全体的な反応が動作電位に応じて発熱性、吸熱性、又は一般に等温性（自熱運転）であり得る高温水電解槽（ＨＴＥ）の熱的動作条件を最も良好に管理することである。
【００２９】
特に、固体酸化物形燃料電池（ＳＯＦＣ）の高発熱反応のためには、システムを冷却するための手段を提供することが必要である。従って、（スタック内の反応によって消費される流入反応物質の割合として定義される）燃料利用率に悪影響を及ぼすことなく、冷却を可能にし、また、スタック内の温度勾配を制限するために、主な可能な調整変数は、電気化学反応の必要条件に関する、カソード側での空気流量である。この技術は、低圧では比較的許容可能な状態であるが、高圧では、ＳＯＦＣセルの上流で圧縮されるべきガスの量の増加から生じるガス圧縮機の過剰消費が、全体的なエネルギー効率にとって急速に法外なものとなる。
【００３０】
この種の技術に対して、特にＳＯＦＣセル中での水素の発熱酸化反応中にシステムのこのような冷却を可能にするための代替の解決策が従来技術において既に考えられている。
【００３１】
従って、温度をシステムの許容限度内に維持するための電解槽に関する多数の特許文献が既に存在する。従って、例えば、熱交換フィンを形成するために相互接続プレートを延ばすことを提案する特許文献１、又は輻射による熱伝達を改善するように輪郭を描かれた厚い相互接続プレートを提示している特許文献２など、スタックとそれを含むエンクロージャとの間の熱交換を強調している特許文献が存在する。他の特許文献は、例えば特許文献３のように、発生した熱を除去するために、スタック内で直接カソードガス及びアノードガスとは異なる熱伝達流体を使用する可能性を強調している。
【００３２】
システムレベルでのスタックの熱管理のために、特許文献４は、セルに熱慣性を提供することで反応熱を容易に除去するために、車載システムにおける、ＳＯＦＣセルを通って注入される非反応性熱伝達流体（空気、蒸気など）の使用について記載している。その目的は、熱伝達流体の加熱を利用する下流のタービンによって追加の電気を発生させる可能性を伴って、セルの効果的な冷却を達成することである。さらに、流入ガスを予熱することを可能にするために、熱伝達流体の一部がセルの入口に再循環される。
【００３３】
しかしながら、前記の特許文献４は、電気を生成する下流のタービンを用いる以外には、ＳＯＦＣセルによって生成される過剰な熱の利用について言及していない。さらに、それは、熱伝達流体がセルからどのように熱を除去するかを示していない。前記文献の発明は、中型及び／又は大電力の静止システムとは対照的に、車載システム、従って小電力システムに特有のものである。さらに、特許文献４に記載されている車載システムは、高圧で作動することを意図しておらず、代わりに、僅かに加圧された周囲空気又はセル周囲の空気流によって加圧された空気を使用する。
【００３４】
さらに、特許文献５はまた、放電モードにおいて蓄熱材料で使用される熱を貯蔵し、次いで充電モードにおいて電解槽で水を加熱するためにそれを使用することができるＳＯＦＣセルについて記載している。
【００３５】
さらに、多くの刊行物が水素電池システムの試験に関連している。一例として、非特許文献１では、セル内での電気化学反応によって生成された水の凝縮後の未消費水素の完全な再循環を可能にしながら、水素電池と水素化物タンクとを結合することが考えられている。従って、水素システム転化率を１００％に近づけることが可能であるように見える。
【００３６】
それにもかかわらず、この解決策は低圧運転のためにのみ考案されたものであり、再循環水素の再圧縮には関連しない。その中の熱統合は制限されている。脱着のための熱の回収を可能にするためにアセンブリが提供されるが、それは、１００％の転化率を目標とするよりもむしろ、セルの出口での未反応水素の燃焼を含む。
【００３７】
特に加圧運転における、想定される反応の発熱性を特に打ち消すために、高温水電解槽（ＨＴＥ）及び固体酸化物形燃料電池（ＳＯＦＣ）の熱的動作条件の管理を改善する必要性が依然として存在する。  
【先行技術文献】
【特許文献】
【００３８】
【特許文献１】米国特許出願公開第２００６／０１０５２１３号明細書
【特許文献２】国際公開第２０１３／０６０８６９号
【特許文献３】英国特許出願公開第２，１５１，８４０号明細書
【特許文献４】米国特許出願公開第２００９／０２６３６８０号明細書
【特許文献５】米国特許出願公開第２００４／００８１８５９号明細書
【非特許文献】
【００３９】
【非特許文献１】「固体酸化物形燃料電池と水素化マグネシウムタンクとの結合及び熱的統合（Ｃｏｕｐｌｉｎｇ  ａｎｄ  ｔｈｅｒｍａｌ  ｉｎｔｅｇｒａｔｉｏｎ  ｏｆ  ａ  ｓｏｌｉｄ−ｏｘｉｄｅ  ｆｕｅｌ  ｃｅｌｌ  ｗｉｔｈ  ａ  ｍａｇｎｅｓｉｕｍ  ｈｙｄｒｉｄｅ  ｔａｎｋ）」、Ｂ．Ｄｅｌｈｏｍｍｅ、Ａ．Ｌａｎｚｉｎｉ、国際水素エネルギー学会誌、２０１３年、３８、４７４０〜４７４７頁
【発明の概要】
【発明が解決しようとする課題】
【００４０】
本発明は、上述の要求に少なくとも部分的に対処し、従来技術の欠点を克服することを目的としている。
【課題を解決するための手段】
【００４１】
従って、本発明は、その態様の１つによれば、
−水素の生成、故に電気の貯蔵のために固体酸化物電解槽（ＳＯＥＣ）モードで、及び／又は、水素の消費、故に電気の引出しのために固体酸化物形燃料電池（ＳＯＦＣ）モードに従って作動するように構成された、高温可逆電解槽を形成する装置であって、前記可逆電解槽は、２〜１５ｂａｒ、特に８〜１２ｂａｒの圧力下で作動するように構成されている、装置と、
−前記可逆電解槽と熱的に結合され、前記可逆電解槽の固体酸化物電解槽（ＳＯＥＣ）モードでは水素化物の形態で水素を貯蔵し、及び／又は、前記可逆電解槽の固体酸化物形燃料電池（ＳＯＦＣ）モードでは水素を放出するように構成された水素化物タンクと、
を含むことを特徴とする、水の高温可逆電解用システムに関し、
前記システムは、可逆電解槽が固体酸化物電解槽（ＳＯＥＣ）モードで作動するように構成されている場合には、可逆電解槽に入ることが意図された加圧蒸気を生成するために水素の吸収中に水素化物タンクによって放出された熱の回収を可能にするように、また、可逆電解槽が固体酸化物形燃料電池（ＳＯＦＣ）モードで作動するように構成されている場合には、水素化物タンクからの水素の脱着を可能にするために可逆電解槽を出る流れによって放出された熱の回収を可能にするように構成されている。
【００４２】
有利には、本発明によるシステムの動作は、液体水のみが圧縮されるため、ガス圧縮作業、特に水素圧縮を制限することを可能にする。本発明によるシステムはまた、液体水を圧縮するように意図された圧縮機を含んでもよい。従って、これにより、可逆電解槽が大気圧で作動されるシステムに関する効率を改善することが可能になる。加圧下での電解槽の動作はまた、特にセル内の反応種の拡散限界現象を減少させることによって、その性能を向上させることも可能にする。
【００４３】
本発明による可逆電解システムはまた、単独で又は任意の可能な技術的組み合わせで採用される、以下の特徴のうちの１つ又は複数も含み得る。
【００４４】
用語「可逆電解」及び「可逆電解槽」は、それぞれ、水の電気化学的高温電解反応（ＴＨＥ）が一方向及び／又は他方向で実施できること、すなわち、システムの動作モードに応じて水素の生成及び／又は水素の消費を可能にできること、また、可逆電解槽が貯蔵モード及び／又は引出しモードで作動できることを意味する。より具体的には、貯蔵モードでは、水素の生成、従って電気エネルギーの貯蔵が可能になる。反対に、引出しモードでは、水素の消費、従って電気エネルギーの引出し（又は供給）が可能になる。
【００４５】
さらに、本明細書全体を通して、用語「上流」及び「下流」は、考慮される流れの流れ方向、すなわち、上流から下流への方向に関して考慮されるべきである。
【００４６】
もちろん、本発明によるシステムは、モジュール式設計を有してもよい。特に、それは、複数の可逆電解槽及び／又は水素化物タンクを含むことができる。従って、前記電解槽及び／又は水素化物タンクの全部又は一部は、特に所望の電力範囲に従って活性化させることができる。
【００４７】
可逆電解槽は、非常に具体的には、カソード、アノード、及びカソードとアノードとの間に挿入された電解質によってそれぞれ形成された基本固体酸化物電気化学セルと、２つの隣接する基本セル間にそれぞれ配置された複数の電気的及び流体的相互接続体と、のスタックを含むことができる。
【００４８】
各相互接続体は、従来技術に記載されているような従来型のものであってもよく、又は、いわゆる「三流（ｔｈｒｅｅ−ｓｔｒｅａｍ）」相互接続体であってもよい。特に、各相互接続体は、熱伝達流体として作用する第３の異なる流体を用いてカソードガスとアノードガスとの間の熱交換を可能にするスタックアーキテクチャを統合することができる。この熱伝達流体は、とりわけ上述の特許文献１又は特許文献２において提案されているように、スタックが適切な熱交換を可能にするアーキテクチャを有するという条件で、エンクロージャ内を循環することができる。前記熱伝達流体はまた、上述の特許文献３において提案されているように、スタック内を異なるチャネルで循環することもできる。エンクロージャは圧力下での動作を可能にし、特に、ガイドラインＤＥＳＰ９７／２３／ＣＥに従って、２〜１５ｂａｒの間での動作を可能にすることにも留意すべきである。
【００４９】
さらに、可逆電解槽は、固体酸化物電解槽（ＳＯＥＣ）モードで作動するように構成することができ、そして、システムは蒸気発生器を含み、それは、水素の吸収中に水素化物タンクによって放出され、また、熱伝達流体によって蒸気発生器に供給される熱を用いて、可逆電解槽用の蒸気を生成することを目的としている。
【００５０】
本システムはまた、可逆電解槽を出る水素及び酸素の流れを用いて、システムの入口における水を予熱し、及び／又は可逆電解槽に入る蒸気を過熱することを可能にする、１つ又は複数の熱交換器を含むことができる。本システムは特に、可逆電解槽を出る水素及び酸素の流れを用いて、システムの入口における水を予熱し、かつ可逆電解槽に入る蒸気を過熱することを可能にする、蒸気発生器の上流及び下流の熱交換器をそれぞれ含んでもよい。
【００５１】
本システムはまた、可逆電解槽内の未反応蒸気と可逆電解槽によって生成された二水素とを受け取り、未反応水を凝縮させてシステム内で再利用できるようにするように意図された、相分離器に結合された凝縮器を含むことができる。生成された二水素はそして、相分離器で収集され、水素化物タンクに送られることができる。
【００５２】
本システムはまた、システムの入口で水を２〜１５ｂａｒ、特に８〜１２ｂａｒの圧力に圧縮するように意図された圧縮ポンプを含んでもよい。
【００５３】
本システムはまた、可逆電解槽の上流に電気加熱要素を含んでもよく、特に８００℃までの蒸気のさらなる過熱を提供する。
【００５４】
本システムはまた、水素化物タンクの上流及び凝縮器の下流に、水素化物タンク内に貯蔵する前に二水素に含まれる湿気の除去を可能にするように意図された乾燥機を含んでもよい。
【００５５】
本システムはまた、相分離器の上流に、可逆電解槽から来る未反応蒸気の凝縮を提供するように意図された、凝縮器に接続された冷却ユニットを含んでもよい。
【００５６】
加えて、可逆電解槽はまた、加圧固体酸化物形燃料電池（ＳＯＦＣ）モードで作動するように構成することもでき、そして、システムは、可逆電解槽を出る少なくとも１つの流れを用いて可逆電解槽に入る少なくとも１つの流れを予熱するように意図された、少なくとも１つの熱交換器を含むことができる。
【００５７】
可逆電解槽は、固体酸化物形燃料電池（ＳＯＦＣ）モードで作動するように構成することができ、システムはまた、特に水素化物タンクからの水素の脱着を可能にするために、少なくとも１つの熱伝達流体を用いて可逆電解槽を出る少なくとも１つの流れから来る高温熱を回収するように意図された、少なくとも１つの熱交換器を含むことができる。
【００５８】
有利には、固体酸化物形燃料電池（ＳＯＦＣ）モードと固体酸化物電解槽（ＳＯＥＣ）モードとの間に、圧抜き（ｄｅｐｒｅｓｓｕｒｉｚａｔｉｏｎ）は存在しない。
【００５９】
可逆電解槽は、固体酸化物形燃料電池（ＳＯＦＣ）モードで作動するように構成されてもよく、システムは、二水素回路と一次空気回路とからなる「圧縮空気再循環システム」であってもよい。
【００６０】
可逆電解槽は、固体酸化物形燃料電池（ＳＯＦＣ）モードで作動するように構成されてもよく、システムはまた、「三流」相互接続体を使用する、二水素回路と、一次空気回路と、冷却回路とからなる「三流システム」であってもよい。
【００６１】
二水素回路は、
−２〜１５ｂａｒの圧力範囲にわたって、水素化物タンクから来る水素と可逆電解槽内の未消費水素の全リサイクルとを混合するための手段と、
−可逆電解槽を出る二水素流を用いて可逆電解槽に入る二水素流を予熱するように意図された熱交換器と、
−少なくとも１つの熱伝達流体を用いて可逆電解槽を出る二水素流から高温熱を回収するように意図された、熱回収要素を形成する熱交換器と、
を含むことができる。
【００６２】
本システムはまた、相分離器を出る水素流によって熱回収要素を形成する熱交換器を出る二水素流を冷却し、生成された水の回収を可能にするように意図された熱交換器を含んでもよい。
【００６３】
「圧縮空気再循環システム」の場合、一次空気回路は、
−２〜１５ｂａｒの空気を提供するための空気圧縮機と、
−可逆電解槽を出る空気流を用いて可逆電解槽に入る空気流を予熱するように意図された熱交換器と、
−少なくとも１つの熱伝達流体を用いて可逆電解槽を出る空気流から来る高温熱を回収するように意図された、熱回収要素を形成する熱交換器と、
を含むことができる。
【００６４】
本システムはまた、２〜１５ｂａｒの圧力で、熱回収要素を形成する熱交換器を出る空気流と補足酸素とを混合するための手段であって、可逆電解槽に入る全空気流を形成する、混合手段を含むことができる。
【００６５】
本システムはまた、
−混合手段によって混合された全空気流を冷却することを可能にする、熱交換器及び冷却装置と、
−予熱のために熱交換器に注入する前に冷却装置を出る空気を圧縮することを可能にする圧縮ポンプであって、システムの水頭損失（ｈｅａｄ  ｌｏｓｓ）を補填し、圧力を正しい入力レベル（２〜１５ｂａｒ）に上げることを可能にする、圧縮ポンプと、
を含むことができる。
【００６６】
「三流」システムの場合、一次空気回路は、
−２〜１５ｂａｒの空気を提供するための空気圧縮機と、
−可逆電解槽を出る空気流を用いて可逆電解槽に入る圧縮空気流を予熱するように意図された熱交換器と、
−少なくとも１つの熱伝達流体を用いて可逆電解槽を出る空気流から来る高温熱を回収するように意図された、熱回収要素を形成する熱交換器と、
を含むことができる。
【００６７】
「三流」システムの場合、冷却回路はまた、
−可逆電解槽を出る熱流を用いて可逆電解槽に入る加圧熱伝達流を予熱するように意図された熱交換器と、
−少なくとも１つの熱伝達流体を用いて可逆電解槽を出る熱流から来る高温熱を回収するように意図された、熱回収要素を形成する熱交換器と、
−熱交換器を出る熱流を冷却するように意図された、熱交換器及び過冷却装置とも呼ばれる冷却装置と、
−熱交換器を出る熱流を冷却するために、熱交換器及び過冷却装置を出る流れを圧縮して２〜１５ｂａｒの範囲にわたって圧縮流体流を形成するように意図された圧縮ポンプであって、システムの水頭損失のみを補填し、圧力を正しい入力レベル（２〜１５ｂａｒ）に上げることを可能にする、圧縮ポンプと、
を含むことができる。
【００６８】
さらに、本発明は、その別の態様によれば、水の高温可逆電解による電気の貯蔵及び／又は電気の引出しのための方法に関し、上述のような水の高温可逆電解用システムを用いて実施され、また、
−加圧可逆電解槽が固体酸化物電解槽（ＳＯＥＣ）モードで作動する場合に、可逆電解槽に入るように意図された加圧蒸気を生成するために水素の吸収中に水素化物タンクによって放出された熱を回収するステップと、
−加圧可逆電解槽が固体酸化物形燃料電池（ＳＯＦＣ）モードで作動するように構成されている場合に、水素化物タンクからの水素の脱着を可能にするために可逆電解槽を出る流れによって放出された熱を回収するステップと、
を含むことを特徴とする。
【００６９】
本方法は、電気貯蔵モードに従って実施することができ、高温可逆電解槽は、固体酸化物電解槽（ＳＯＥＣ）モードで作動するように構成されており、そして本方法は、水素を生成することで電気を貯蔵するために加圧蒸気の高温電解反応を行うステップを含むことができる。
【００７０】
本方法は、水の高温可逆電解用システムを用いて、貯蔵モードに従って特に実施することができ、以下の一連のステップ：
−注入水と相分離器からの再循環水とを含むシステムの全水を圧縮ポンプ内に導入し、２〜１５ｂａｒ、特に８〜１２ｂａｒの圧力にするステップと、
−可逆電解槽を出る水素及び酸素の流れを用いて、システムの入口における水の予熱を可能にするために熱交換器を通してシステムの全水を循環させるステップと、
−システムの入口における水を蒸気発生器内に導入し、水素の吸収中に水素化物タンクによって放出され、また、熱伝達流体によって蒸気発生器に供給される熱を用いて可逆電解槽用の加圧蒸気を生成するステップと、
−可逆電解槽を出る水素及び酸素の流れを用いて、可逆電解槽に入る前に蒸気の過熱を可能にするために熱交換器を通して蒸気を循環させるステップと、
−電気加熱要素を使用することによって電解槽の作動温度に到達するように蒸気を追加で過熱するステップと、
−水素及び酸素の流れを生成するために可逆電解槽内に加圧蒸気を導入するステップと、
−熱交換器を用いて水素及び酸素の流れを冷却するステップと、
−相分離器内で未反応の加圧蒸気を凝縮させて、システム内に再導入される再循環水を生成するステップと、
−生成及び乾燥された水素を水素化物タンク内に貯蔵するステップと、
を含むことができる。
【００７１】
有利には、電解槽とタンクとの間に、水素の圧縮は存在しない。
【００７２】
本方法はまた、電気引出しモードに従って実施することもでき、高温可逆電解槽は加圧固体酸化物形燃料電池（ＳＯＦＣ）に従って作動するように構成されており、そして本方法は、水素を消費することで電気を引き出すために蒸気の高温電解の逆反応を生じさせるステップを含んでもよい。
【００７３】
本方法はまた、水の高温可逆電解用の「圧縮空気再循環システム」を用いて、引出しモードに従って特に実施することができ、そして、以下の一連のステップ：
・二水素回路用：
−混合手段を用いて、２〜１５ｂａｒの目標圧力で、水素化物タンクから来る水素と可逆電解槽内の未消費水素の全リサイクルとを混合するステップ、
−熱交換器を通して全水素を注入し、可逆電解槽を出る水素流によってそれを予熱することを可能にするステップ、
−全水素を可逆電解槽内に、その消費と、水、電気、及び熱の生成とのために注入するステップ、
−予熱熱交換器によって、可逆電解槽を出る水素流を冷却するステップ、
−熱伝達流体との交換により熱の回収を可能にする、熱回収要素を形成する熱交換器によって、予熱熱交換器を出る水素流を冷却し、ステップ、
−凝縮器から来る生成された水流から水素流を分離するステップ、
−水頭損失の値に対してのみそれを再圧縮することによって、未消費水素を再循環させるステップ、
・一次空気回路用：
−可逆電解槽に入る圧縮空気によって冷却されるように、冷却熱交換器を通して可逆電解槽を出る空気を注入するステップ、
−熱伝達流体が通過する熱回収要素を形成する熱交換器を通して、冷却熱交換器を出る空気を注入するステップ、
−混合手段によって、熱回収要素を形成する熱交換器を出る空気と、追加の圧縮空気流とを混合するステップ、
−水頭損失を補填し、かつ混合手段の下流の冷却熱交換器に注入される圧縮空気を得るために、前記混合物を熱交換器、次いで冷却装置、次いで圧縮ポンプに注入するステップ、
−冷却熱交換器から来る空気を熱交換器内に注入して予熱し、次いで、それを２〜１５ｂａｒの目標圧力で可逆電解槽内に注入するステップ、
を含むことができる。
【００７４】
本方法はまた、水の高温加圧可逆電解用の「三流システム」を用いて、引出しモードに従って特に実施することができ、そして以下の一連のステップ：
・二水素回路用：
−混合手段を用いて、水素化物タンクから来る水素と可逆電解槽内の未消費水素の全リサイクルとを混合するステップ、
−熱交換器を通して２〜１５ｂａｒの目標圧力で全水素を注入し、可逆電解槽を出る水素流によってそれを予熱することを可能にするステップ、
−２〜１５ｂａｒの目標圧力で全水素を可逆電解槽内に、その消費と、水、電気、及び熱の生成とのために注入するステップ、
−予熱熱交換器によって、可逆電解槽を出る水素流を冷却するステップ、
−熱伝達流体との交換により熱の回収を可能にする、熱回収要素を形成する熱交換器によって、予熱熱交換器を出る水素流を冷却し、ステップ、
−相分離器から来る生成された水流から水素流を分離するステップ、
−アセンブリの水頭損失の値に対してのみそれを再圧縮することによって、未消費水素を再循環させるステップ、
・一次空気回路用：
−周囲空気を圧縮ポンプ内に注入し、２〜１５ｂａｒ、特に８〜１２ｂａｒの圧力にするステップと、
−可逆電解槽を出る空気流を用いて、予熱熱交換器に入る空気を予熱するステップ、
−目標圧力で可逆電解槽に入る予熱空気を注入するステップ、
−予熱熱交換器内で可逆電解槽を出る空気を冷却するステップ、
−少なくとも１つの熱伝達流体を用いて熱を得るために、熱回収要素を形成する熱交換器を通して予熱熱交換器を出る空気を冷却するステップ、
−熱回収要素を形成する熱交換器を出る空気をガスタービン内に注入して、出て行く空気を排出するステップ、
・冷却回路：
−可逆電解槽に入る流体によって、予熱熱交換器を通して可逆電解槽を出る熱流を冷却するステップ、
−少なくとも１つの熱伝達流体を用いて、熱回収要素を形成する熱交換器内で予熱熱交換器を出る流れを冷却するステップ、
−再圧縮流体流によって熱交換器内で、熱回収要素を形成する熱交換器を出る流れを全て冷却するステップ、
−再圧縮流体流が通過する熱交換器を出る流れを過冷却装置とも呼ばれる冷却装置内、次いで圧縮ポンプ内に注入するステップ、
−２〜１５ｂａｒ、特に８〜１２ｂａｒの目標圧力で可逆電解槽に入る前に、可逆電解槽を出る流れによって圧縮ポンプを出る流れを予熱するステップ、
を含むことができる。
【００７５】
本発明による加圧可逆電解システム及び電解プロセスは、単独で又は他の特徴との技術的に可能な組み合わせに従って採用される、本明細書中に示された特徴のうちの何れか１つを含むことができる。
【００７６】
本発明は、その実施形態の非限定的な実施例の以下の詳細な説明を読み、並びに添付の図面の概略図及び部分図を精査することによって、より良く理解することができる。
【図面の簡単な説明】
【００７７】
【図１】高温固体酸化物電解槽（ＳＯＥＣ）の動作原理を示す概略図である。
【図２】従来技術による相互接続体を含む高温固体酸化物電解槽（ＳＯＥＣ）の一部の概略分解図である。
【図３】従来技術による相互接続体を含む固体酸化物形燃料電池（ＳＯＦＣ）の一部の概略分解図である。
【図４】固体酸化物電解槽（ＳＯＥＣ）モードに従って作動する高温可逆電解槽を含む、本発明による水の高温可逆電解用システムの一例を示すブロック図である。
【図５】消費された総電力の関数としての、水素生成モード及び１１６ｋＷ  ＡＣの公称値で作動している本発明によるシステムのＬＨＶ効率の変化を示すグラフである。
【図６】固体酸化物形燃料電池（ＳＯＦＣ）モードに従って作動する高温可逆電解槽を含む、本発明による水の高温可逆電解用のいわゆる「圧縮空気再循環」システムの一例の二水素回路を示すブロック図である。
【図７】図６のシステムの一次空気回路を示すブロック図である。
【図８】図６及び図７に対応するプロセスの正味電力、及び６４ｋＷの公称電力の関数としての本発明によるシステムの空気流量の変化を示すグラフである。
【図９】プロセスの正味電力の関数としての図８のプロセスのＬＨＶ効率の変化を示すグラフである。
【図１０】プロセスの正味電力の関数としての図８のプロセスの二水素消費量の変化を示すグラフである。
【図１１】固体酸化物形燃料電池（ＳＯＦＣ）モードに従って作動する高温可逆電解槽を含む、本発明による水の高温可逆電解用のいわゆる「三流」システムの一例の二水素回路を示すブロック図である。
【図１２】図１１のシステムの一次空気回路を示すブロック図である。
【図１３】図１１のシステムの冷却回路を示すブロック図である。
【図１４】対応するプロセスの正味電力の関数としての、本発明によるシステムの一次空気流量及び冷却空気流量の変化を示すグラフである。
【図１５】プロセスの正味電力（ＡＣ）の関数としての図１４のプロセスのＬＨＶ効率の変化を示すグラフである。
【図１６】図１４のプロセスの正味電力の関数としての二水素消費量の変化を示すグラフである。
【発明を実施するための形態】
【００７８】
これらの図の全てにおいて、同じ参照符号は、同一又は同等の要素を示すことができる。
【００７９】
さらに、図をより見やすくするために、図に示された異なる部分は、必ずしも一定の縮尺に従って示されていない。
【００８０】
図１〜図３は、従来技術及び本発明の技術的文脈に関する部分において、既に上で説明されている。
【００８１】
全ての図について、提示された装置の動作を説明するために、明確さ及び正確さの目的で、水蒸気Ｈ２Ｏの供給、二水素Ｈ２、酸素Ｏ２、空気及び電流の分配及び回収を示す記号及び矢印が示されていることが明記される。
【００８２】
さらに、所与の電解セルの全ての構成要素（アノード／電解質／カソード）はセラミックであることに留意すべきである。高温電解槽の動作温度は、典型的には６００〜１０００℃の間である。
【００８３】
図４を参照すると、ブロック図の形で、水素の生成、故に電気の貯蔵のために固体酸化物電解槽（ＳＯＥＣ）モードに従って作動する高温可逆電解槽１１を含む、本発明による水の高温可逆電解用システム１０の例が示されている。さらに、システム１０は、２〜１５ｂａｒ、さらには８〜１２ｂａｒの圧力下で作動する。
【００８４】
可逆電解槽１１は水素化物タンク１２と熱的に結合され、水素化物の形態で水素を貯蔵することを可能にする。図４に示される本発明によるシステム１０の動作原理は、貯蔵モードに関する部分で以下に説明される。
【００８５】
本発明による水の高温可逆電解用システム１０は、使用のための複数の可能性を有することができる。
【００８６】
特に、非限定的に、システム１０は可逆モードで、すなわち電気の貯蔵及び引出しの両方のために作動することができる。この場合、電解プロセスの可逆性によって供給される前に、大量の電気の貯蔵を達成することができる。
【００８７】
システム１０はまた、非可逆モードで、すなわち電気化学電解反応の２つの可能な方向のうちの１つのみに専念する動作に従って作動してもよい。
【００８８】
より具体的には、システム１０はこうして、貯蔵モードでのみ作動することができる：そのような場合、システムは、水素化物タンク１２を満たす水素の生成、並びに酸素又は富化空気の供給専用のステーションと同様である。この場合、システムは、例えば、建設車両などの水素自動車用の充電ステーションとして機能することができる。
【００８９】
システム１０はまた、引出しモードでのみ作動してもよい：そのような場合、システムは、水素化物タンク１２及び／又は別のプロセスから水素を供給することができる、電気の生成専用のステーションと同様である。別のプロセスから来る水素が使用される場合、それは水素化物タンクを介して注入されてもよく、その場合、後者はバッファタンクとして、又は水素化物タンクのすぐ下流で作用する。水素化物貯蔵庫からの水素が使用されない場合、交換器３１、３９（空気再循環システムの場合、図６及び図７）又は３１、４２及び９１（三流システムの場合、図１１、図１２及び図１３）で回収された熱を除去しなければならず、システム外の他のプロセスで使用することができる。
【００９０】
システム１０が、電気を貯蔵するため又は電気を引き出すための非可逆動作モードに従って使用される場合、システム１０の特定の要素、特に特定の交換器ネットワークは使用されないことがある。
【００９１】
以下では、図４〜図１６を参照して、本発明によるシステム１０の２つの主な動作モード、すなわち貯蔵モードと引出しモードとを説明する。より具体的には、図４及び図５は貯蔵モードによるシステム１０の動作モードに関し、図６〜図１６は引出しモードによるシステム１０の動作に関する。
【００９２】
［貯蔵モード］
本発明によるシステム１０の電気貯蔵モードは、固体酸化物電解槽（ＳＯＥＣ）の動作構成において可逆電解槽１１を使用する。図４に示すように、またこのタイプの電解槽の上記の説明によれば、ＳＥＯＣ電解槽１１は、一般にＳＯＥＣ電解槽１１のカソードＣと呼ばれるカソード、一般にＳＯＥＣ電解槽１１のアノードＡと呼ばれるアノード、各セルのカソードとアノードとの間に挿入された電解質によってそれぞれ形成された基本固体酸化物電気化学セルと、一般にＳＥＯＣ電解槽１１の三流相互接続体Ｆ３と呼ばれる２つの隣接する基本セル間にそれぞれ配置された複数の電気的及び流体的相互接続体と、のスタックを含む。しかしながら、好ましくは、前記三流相互接続体Ｆ３は、本発明によるシステム１０の貯蔵モードでは使用されない。また、三流相互接続体Ｆ３の動作に関連する部分は、図４において点線で表されている。
【００９３】
固体酸化物電解槽（ＳＯＥＣ）は、酸素生成側で空気を掃気しても掃気しなくても作動することができる。従って、それらは、必要とされるものに応じて、ほぼ純粋な酸素及び富化空気の両方を提供することができる。本明細書に記載のシステム１０の例では、貯蔵モードにおいて空気の掃気がないため、圧力下での想定される動作のための前記ガスの圧縮が回避され、従って、圧縮されたほぼ純粋な酸素の生成が得られると考えられている。
【００９４】
本発明によるシステム１０の貯蔵モードは、電気に基づいて、水素化物タンク１２に貯蔵される加圧水素を生成することを目的としている。
【００９５】
有利には、ＳＯＥＣ電解槽１１は、２〜１５ｂａｒ、さらには８〜１２ｂａｒの範囲の圧力下で作動するように構成される。実際、ＳＯＥＣ電解槽１１内において加圧下で作動することにより、生成された水素を圧縮する作業を制限することが可能になるが、なぜなら、液体水を圧縮することは水素を圧縮するよりもはるかに少ないエネルギーを必要とするからである。
【００９６】
しかしながら、貯蔵庫とは異なる圧力で電解槽に作用することを想定することは可能である。この代替案は、しかしながら、電解槽と貯蔵庫との間に圧縮機（貯蔵庫が電解槽より高い圧力にある場合）又は膨張弁（貯蔵庫がより低い圧力にある場合）を必要とするであろう。水素化物中の水素の吸収からの水頭（ｈｅａｄ）は、あらゆる場合において、蒸気発生器の必要性を満たすために使用されるであろう。
【００９７】
貯蔵モードでの動作は、以下に説明される。従って、図４に示されるように、矢印ＦＨ２Ｏで表される脱塩水（ｄｅｍｉｎｅｒａｌｉｚｅｄ  ｗａｔｅｒ）Ｈ２Ｏは、相分離器１３からのプロセスの回収水Ｈ２ＯｒｅｃｏｖとＭ１中で混合される。次いで、前記水Ｈ２Ｏ＋Ｈ２Ｏｒｅｃｏｖの全Ｈ２Ｏｔｏｔａｌは、圧縮ポンプ１４によって圧縮され、２〜１５ｂａｒ、さらには８〜１２ｂａｒの作動圧力にされる。
【００９８】
次いで、全水Ｈ２Ｏｔｏｔａｌは、分離器１５によって２つの流れｆ１及びｆ２に分離され、各流れｆ１、ｆ２は、冷却酸素Ｏ２及び水素Ｈ２の流れがそれぞれ通過する熱交換器１６及び１７によって、それぞれ飽和まで予熱される。
【００９９】
次いで、２つの熱交換器１６及び１７を通して予熱された水は、Ｍ２で再混合され、次いで、熱伝達流体ＦＣを用いて、水素の吸収中に水素化物タンク１２で回収された熱（例えば、水素化マグネシウム型の水素化物の場合、約７５ｋＪ／モル）によって、蒸気発生器１８で沸騰される。水素化物によって放出される熱が、電解槽の入口で考慮される圧力で水の沸点より高い温度になるように、システム１０の金属水素化物及び圧力範囲を選択することも適切であり、例えば、水素化マグネシウムは、３８０℃、１０ｂａｒで収着平衡にある。
【０１００】
次いで、蒸気は分離器１９によって２つの流れｆ３及びｆ４に再び分離され、各流れｆ３、ｆ４はそれぞれ、ＳＯＥＣ電解槽ＳＯＥＣ１１を出る熱い酸素Ｏ２及び水素Ｈ２の流れがそれぞれ通過する熱交換器２０及び２１によって、それぞれ６７０〜７５０℃の間に過熱される。
【０１０１】
過熱蒸気の２つの流れｆ３及びｆ４は、次いでＭ３で再混合され、そして電気加熱要素２２は、それが入る前にＳＯＥＣ電解槽１１の動作の７００〜８００℃の蒸気の最終過熱を提供する。
【０１０２】
それぞれアノードＡ及びカソードＣからの酸素Ｏ２及び水素Ｈ２は、それぞれ、流れｆ３及びｆ４の入口での蒸気を用いた熱交換器２０及び２１によって、次いでそれぞれ、流れｆ１及びｆ２の水を用いた熱交換器１６及び１７によって、最初に冷却される。
【０１０３】
矢印ＦＯ２で表されるように、酸素Ｏ２は次いで、貯蔵又は除去される。
【０１０４】
水素Ｈ２に関しては、凝縮器２３が未反応蒸気の凝縮を確実にし、次いでこの水は、その再循環のためにＭ１におけるプロセスの出発点に送られる前に、相分離器１３で収集される。水素Ｈ２の乾燥は、水素化物タンク１２に送られてその中に貯蔵される前に乾燥機２４で完了され、それは次いで、蒸気発生器１８のための熱伝達流体ＦＣループによって回収される熱を生成する。乾燥機２４は、シリカゲル又は極低温トラップ（ｃｒｙｏｇｅｎｉｃ  ｔｒａｐ）など、異なるタイプであってもよい。しかしながら、それが水素化物貯蔵タンク１２に入る前に、水素Ｈ２中に存在する湿気を除去できなければならない。実際、前記化合物は水と強く反応するため、それはタンク１２を損傷し、そして強い熱放出を生じさせる。
【０１０５】
システム１０はまた、発熱モードでＳＯＥＣ電解槽１１と共に作動してもよく、すなわち、セルを出るガスはそれらに入るガスよりも高温であり、その場合、電気加熱要素２２はＳＯＥＣ電解槽１１の動作中に必要ないことに留意すべきである。
【０１０６】
システム１０はまた、吸熱モードでＳＯＥＣ電解槽１１と共に作動してもよく、すなわち、セルを出るガスはそれらに入るガスよりも低温であり、その場合、電気加熱要素２２は、補填するためにより高い電力で作動することに留意すべきである。
【０１０７】
有利には、ＳＯＥＣ電解槽１１と水素化物タンク１２との間の熱的結合は、多くの利点を提供する。特にそれは、蒸気発生器１８のエネルギー要件を供給することを可能にすることで、システム１０の外部で電気タイプの又はガス燃焼による供給源を使用する必要がないようにすることを可能にし、それにより、貯蔵モードにおける電解プロセスの効率を向上させることを可能にする。さらに、そのような熱的結合はまた、水素化物タンクと低温電解との間の結合の場合のように、水素化物タンク１２から来る熱を除去する必要性の回避を可能にする。そうでなければ、これは無視できないエネルギーコストを有するであろうし、それは前記熱を貯蔵するための手段が使用されない場合にプロセスの効率を低下させる可能性があり、その場合、空気冷却塔のような熱除去要素が必要であろう。有利には、タンク内に貯蔵する前の水素の圧縮を避けるために、電気分解は加圧下で行われる。
【０１０８】
［実施形態の例］
高温可逆電解槽１１は、スタックを含むエンクロージャを含む。
【０１０９】
ここで、貯蔵モードにおいて水素化物タンク１２に熱的に結合されたＳＯＥＣ電解槽１１の実施形態の一例を説明する。
【０１１０】
以下の例で引用されている様々な値は、電解セル並びに補助要素（ポンプ、コンバータなど）の熱力学モデルに基づいて、ＰｒｏｓｉｍＰｌｕｓソフトウェアを使用して実行されたシミュレーションからの結果である。この例におけるシステム１０の目的は、水素化マグネシウムＭｇＨ２に吸収された水素を供給することである。水素化物タンク１２内における水素化物の貯蔵は、１０ｂａｒの圧力で起こる。生成モードにおけるシステムの電力範囲は、１１５〜１１６．５ｋＷの間であり、得られるシステム効率の範囲は、８６．４〜８７．５％ＬＨＶの間（生成されたガス状水素のより低い発熱量とシステムの電力消費量との間の比）である。電解槽スタック単独の効率は、９７．５％ＬＨＶである。
【０１１１】
システム１０は従って、水素化マグネシウムＭｇＨ２型の水素化物による水素の貯蔵を含む。それは約３５℃、１０ｂａｒの圧力下で冷たい水素を吸収することで、７５ｋＷ／Ｈ２モルのエネルギーを熱の形で放出する。
【０１１２】
水素吸収によって放出された熱は、蒸気発生器１８に供給するために、オイルを含む熱伝達流体ＦＣループ上で回収される。電解槽１１における利用率は、蒸気発生器１８に完全に供給するのに十分な熱、すなわち１０℃の過熱を伴う水の全沸騰を発生させるために、水素化物タンク１２での貯蔵に対して、十分高く、約６０℃で維持される。
【０１１３】
この例では、電解槽１１は、セルの許容限度内、すなわち１２〜４８ＮｍＬ／分／ｃｍ２の範囲内の流量で、熱中性電圧に制御される。従って、生成された酸素は実質的に純粋であるため、アノード側での掃気はない。熱中性システムは、電解槽１１の出口において入口と等しい温度を得ることを可能にするため、セル内の冷却の問題はない。図４においてＦ３で表される三流相互接続体の第３のチャネルは、ここでは使用されていない。熱中性電圧に対する制限は、吸熱モード又は発熱モードでの動作に関して、貯蔵モードでシステムにアクセス可能な電力範囲を制限する効果を有し、より広いアクセス可能範囲を提供する。
【０１１４】
システム１０の効率の計算において、生成された水凝縮を伴って生成された水素によって潜在的に放出されることができる総燃焼熱（ＨＨＶ）、又は生成された水凝縮を伴わずに生成された水素によって潜在的に放出されることができる総燃焼熱（ＬＨＶ）が、全システムのレベルでその生成に必要な電気エネルギー（ＡＣ）と比較された。水素のより低い発熱量（ＬＨＶ）及びより高い発熱量（ＨＨＶ）は、それぞれ２４４及び２８６ｋＪ／モルである。
【０１１５】
図５は、ｋＷ  ＡＣで表される総消費電力Ｄｃの関数としての、１１６ｋＷ  ＡＣの公称値を有するシステムに対して水素生成モードで作動するシステム１０の効率Ｒの変化を示すグラフである。
【０１１６】
ＬＨＶ曲線に対する効率Ｒは、より具体的には次の式で計算される：
Ｒ＝［生成されたＨ２の流量＊ＬＨＶ］／電気消費量。
【０１１７】
効率で考慮される電気消費量は、電解セル自体の消費量を含み、それに補助要素（ポンプ、加熱及び冷却ユニット、及びパワーエレクトロニクス）の消費量が加えられる。
【０１１８】
従って、貯蔵モードでのシステム１０のアセンブリは、蒸気発生器１８に供給するための熱源を提供することによって水素化物上の水素吸収からの熱を効率的に利用することを可能にし、それによって、前記熱を除去しなければならない低温電解（ＰＥＭ、アルカリ）を使用するプロセスと比較して少なくとも１５％の電気消費量節約を可能にする。これは、低温プロセスと比較した高温電解のより高い電気効率と組み合わせて、効率に対して示される高い値を説明する。
【０１１９】
効率はまた、従来システムよりも高いが、なぜなら、それは水素化物に吸収される水素を生成することで、蒸気発生器に供給するために使用される熱を放出するからである。水素化物によって供給される熱が存在しないシステムの場合、高温ユーティリティを用いて蒸気発生器によって必要とされる熱をシステムに供給することが必要となり、それは、ＬＨＶ及びＨＨＶ効率をそれぞれ約１５及び１７ポイント低下させるであろう。
【０１２０】
［引出しモード］
本発明によるシステム１０の電気引出しモードは、固体酸化物形燃料電池（ＳＯＦＣ）の動作構成において可逆電解槽１１を使用する。
【０１２１】
この引出しモードにおいて、目的は、より高い効率で電気を提供し、場合により、暖房ネットワーク、とりわけ例えば住居、農業用乾燥機などの暖房ネットワークに供給することを可能にする低温熱を提供するという目的を有して、約２〜１５ｂａｒの間の圧力下で燃料電池１１内において水素を消費することである。
【０１２２】
引出しモードでは、システム１０は、それぞれ空気再循環システム及び三流システムと呼ばれる２つの異なるシステムの形態をとることができる。それらについて、以下に説明する。
【０１２３】
［空気再循環システム］
このシステム１０は、図６及び図７に示されている。この場合、システム１０は、三流相互接続体を有していない。図６及び図７に見られるように、燃料電池１１は、上述のようにアノードＡ及びカソードＣを含むが、第３の熱伝達流体チャネルを含まない。
【０１２４】
前記システム１０において、燃料電池１１の冷却は、カソード側の圧縮空気流によってのみ提供され、その結果、水素酸化反応の発熱性のために大きく設計されている。水素化物タンク内における水素の脱着は、出て行く流体からの熱の収集によって確実にされる。
【０１２５】
以下では、二水素Ｈ２回路の動作について説明し、続いて、一次空気回路の動作について説明する。
【０１２６】
［二水素Ｈ２回路］
この回路は、図６を参照して説明される。前記図６において、点線で表された部分は、図７を参照して以下に説明される一次空気回路を指す。有利には、二水素回路Ｈ２は、燃料電池１１において再循環される未消費水素を許容するループを形成する。このようにして、１００％に近い水素の転化率が得られる。
【０１２７】
空気再循環システム１０の引出しモードにおける二水素Ｈ２回路の動作を、以下に説明する。２〜１５ｂａｒ、さらには８〜１２ｂａｒの圧力下で、水素化物タンク１２から来る水素Ｈ２は、Ｍ１において、燃料電池１１内の未消費水素Ｈ２ｒｅｓｉｄｕｅｌの全リサイクルと混合される。
【０１２８】
次いで、全水素流Ｈ２ｔｏｔａｌが、熱交換器３０を通過して、燃料電池１１の出て行くガスＨ２によって予熱される。次いで、それは燃料電池１１内に注入され、その中で酸化されて、水、電気及び熱を生成する。
【０１２９】
燃料電池１１の出口において、水素流Ｈ２は、流入ガスＨ２ｔｏｔａｌによって熱交換器３０を通って冷却され、次いでそれは、４００℃を超える温度で熱を回収するための要素を形成する熱交換器３１を通過し、それをとりわけ例えばオイル、空気、蒸気などの熱伝達流体ＦＣと交換することによって、熱を回収することを可能にする。
【０１３０】
水素Ｈ２及び蒸気の流れは、熱交換器３３を通過して、相分離器３４を出る水素流Ｈ２によって冷却される。熱交換器３３を通過した後、流れＨ２は凝縮器３５、次いで相分離器３４を通過し、矢印ＦＨ２Ｏで表される生成された水Ｈ２Ｏの回収を可能にし、また、可能な利用のためのその除去を可能にする。
【０１３１】
分離器３４の出口において、幾らかの水の痕跡を含むことがある乾燥水素Ｈ２は、水素化物タンク１２からの水素とＭ１で混合される前に、熱交換器３３を通過する流入水素流Ｈ２によって加熱され、次いで、回路の水頭損失を補填するために圧縮ポンプ３６に送られる。
【０１３２】
水素化物タンク１２は、３００〜４００℃程度の所望の温度範囲内、及び２〜数ダースｂａｒ程度の所望の圧力範囲内で水素を供給することができる任意の種類のタンクとすることができる。しかしながら、水素化物が貯蔵モードで蒸気発生器１８として作用するのに十分な水素化物吸収温度を有し、そしてセルがその動作時点で必要な水素量の脱着を可能にするのに十分な熱量を放出することが必要である。
【０１３３】
二水素回路Ｈ２はまた、貯蔵庫の水素中に存在し得る窒素又はアルゴンなどの任意の中性ガスを除去することができるように、パージ弁を有してもよい。
【０１３４】
［一次空気回路］
この回路は、図７に示されている。前記図７において、点線で表された部分は、図６を参照して上述した二水素Ｈ２回路を指す。一次圧縮空気回路は、燃料電池１１に酸素Ｏ２を供給すること、並びに電池１１によって生成された熱を除去することを目的とする。
【０１３５】
空気再循環システム１０の引出しモードにおける一次圧縮空気回路の動作を、以下に説明する。燃料電池１１を出た空気は、熱交換器３８を通過して、燃料電池１１に入る空気によって冷却される。
【０１３６】
次いで、空気流は、４００℃を超える温度で熱を回収するための要素を形成する熱交換器３９を通過し、オイルを含む熱伝達流体ＦＣがそれ自体を通過する。
【０１３７】
空気は次いで、Ｍ１において矢印ＦＯ２で表される酸素Ｏ２流と混合され、次いで再圧縮空気を用いて熱交換器４０を通して冷却され、第２の冷却装置４１において再圧縮温度まで冷却され、次いで圧縮ポンプ４２において圧縮される。再圧縮は水頭損失の値のみに対するものであり、空気が再循環されなかった場合に行われるであろう２〜１５ｂａｒの完全な再圧縮ではなく、それは、本発明によって提供される実質的な利益を表す。
【０１３８】
圧縮空気は次いで、カソードＣ内に注入される前に、熱交換器４０及び３８を通過することによって、燃料電池１１の入口の温度にされる。
【０１３９】
使用される水素化物、及び所望の動作範囲に応じて、脱着のために回収される熱は不十分であり得る。水素駆動バーナーを追加し、熱伝達流体ＦＣが失われた熱を回収することを可能にすることが次に考えられ得る。追加の電気加熱要素も使用することができるが、引出しモードでの動作中は電気代が高くなる可能性があるため効率が悪く、これはシステムの効率に影響を与える。
【０１４０】
さらに、上述の高温熱交換器３８及び３９で追加の熱を回収する必要がある場合、考慮した交換器の上流に位置する燃焼チャンバーで水素の一部を燃焼させることができる。この燃焼チャンバーは、例えば、一次空気回路の熱交換器３９の上流に配置され得、熱伝達流体ＦＣ回路に交換器を追加しないことを可能にするが、再圧縮の前にこのように生成された水を凝縮することを必要にする。前記再圧縮は冷却下で行われるので、設計が制限されるという問題が存在する可能性がある。燃焼チャンバーはまた、水素及び空気回路とは独立したバーナー上に配置することもでき、このアセンブリは、適用するのは簡単であるがエネルギー的に効率的ではないが、なぜなら、熱伝達流体ＦＣによって収集される燃焼エネルギーの一部を制限するという欠点を有して、空気を予熱しなければならないからである。
【０１４１】
有利には、空気再循環システムは、貯蔵モードで水素を生成するために、電気の起源に応じて、潜在的に脱炭酸及び／又は再生可能な電気を生成することを可能にする。さらに、水素化物タンク１２内の水素の脱着に必要な高温熱を生成することを可能にし、燃料電池１１がそれ自体で十分に提供しない場合、少量の水素を燃焼させる可能性がある。これにより、システム１０の外部に高温の熱源を設ける必要がなくなる。さらに、公称値付近で広い電力範囲及び／又は熱出力範囲、すなわちこの場合は７５〜１００％が可能になる。最後に、Ｏ２富化に関連するその再循環による空気のより低い圧縮のために、以下に説明される三流システムに関して効率の僅かな改善が得られる。三流システムでは、空気の一部のみが再循環される。
【０１４２】
［実施形態の例］
ここで、空気再循環システム１０を用いた、引出しモードにおける水素化物タンク１２と熱的に結合されたＳＯＦＣ燃料電池１１の実施形態の一例を説明する。以下の例で引用される異なる値は、スタックセル並びに補助要素（ポンプ、コンバータなど）の熱力学モデルに基づいて、ＰｒｏｓｉｍＰｌｕｓソフトウェアを使用して実行されたシミュレーションからの結果である。
【０１４３】
この例のシステム１０の目的は、高効率及び広い電力範囲で電気を提供することである。水素化物タンク１２内での水素化物の貯蔵は、１０ｂａｒの圧力で行われる。発電電力（ＡＣ、ネットワーク内で注入可能）の範囲は、燃料電池１１に対して４９．５〜６５．３ｋＷ、及び５１．２〜６８．２ｋＷであり（ＬＨＶ効率は、最小電力での動作に対する７２％から最大電力での動作に対する６６％まで変動する）、そのシステムに対して得られた電気効率の範囲は、５９．５〜６０．５％ＬＨＶ（タンクを出た水素のより低い発熱量）である。オイルループで収集された熱が十分ではないシステムでは、Ｈ２バーナーが脱着熱の補完として使用される。
【０１４４】
システム１０は従って、１０ｂａｒの圧力及び３８０℃で水素化マグネシウムＭｇＨ２型の水素化物による水素の貯蔵を含み、放出されたＨ２のモル当たり７５ｋＪを消費する。交換器で回収された高温熱は、水素を脱着するために、並びにプロセス中の熱損失を打ち消すために使用される。水素化物タンク１２は、７５ｋＪ／（脱着されたＨ２のモル）に等しい及び３８０℃を超える温度での脱着エネルギーの供給を必要とする。高温の交換器を挟むことを考慮すると、この目的のために４００℃を超えるプロセスの熱のみを回収することができる。セル１１及びタンク１２における、補填すべき２．７ｋＷのプロセスにおける熱損失もまた、考慮に入れられる。
【０１４５】
高温の交換器で回収された熱が不足している場合、脱着された水素の一部は燃焼されて、追加のエネルギーを供給する。
【０１４６】
異なる流体の流量は以下のように設定された：水素Ｈ２については、流量は一定であり、１２ＮｍＬ／分／（セルのｃｍ２）に設定された；一次空気については、流量はセル１１内の温度上昇を１５０℃に制限するのに十分である。
【０１４７】
さらに、冷却戦略は以下の通りである：セル１１に入る水素の温度は一定であり、７００℃に等しい；セル１１に入る空気の温度は一定であり、６００℃に等しい；セルの出口での温度は一定に保たれ、２つの流れに対して８５０℃に等しい；一次空気流量は、セルの出口での温度を一定に、４８ＮｍＬ／分／（セルのｃｍ２）の最大流量に保つように調整される。
【０１４８】
得られた結果は図８のグラフに示されており、これは、ｋＷで表されるプロセスの電力Ｐの関数としてＮｍＬ／分／（セルのｃｍ２）で表される空気流量Ｄａの変化を示し、また図９では、ｋＷで表されるプロセスの正味電力Ｐの関数としてパーセントで表される引出しモードにおけるプロセスの電気効率Ｒの変化を示し、最後に図１０では、ｋＷで表されるプロセスの正味電力Ｐの関数としてｇ／ｈで表される二水素消費量ＣＨ２の変化を示す。前記図１０において、曲線Ｃａは、総Ｈ２消費量Ｈ２を表し、曲線Ｃｂは、追加の熱を提供するために燃焼されたＨ２の消費量を表す。
【０１４９】
プロセスの正味電力Ｐは、セル１１及び関連するタービン（一次空気回路）の発電量ＡＣとして定義され、そこから圧縮機及び再循環装置の消費量が差し引かれる。
【０１５０】
プロセスの効率Ｒは、以下のように定義される：
Ｒ＝ネットワーク内に注入されたＡＣでのプロセスＰの正味電力／［ＬＨＶＨ２＊消費されたＨ２の流量］
【０１５１】
プロセスの正味電力はセルによって生成される電力に対応し、そこから補助要素（圧縮機、冷却ユニット及びパワーエレクトロニクス）の消費量が差し引かれる。
【０１５２】
システム１０は従って、高い電気効率を維持しながら、広い電力範囲にわたって作動することを可能にする。
【０１５３】
本プロセスは従って、水素を脱着するために外部熱供給を伴うことなく、強みとして高い水素貯蔵密度（ＭｇＨ２型の水素化物では５重量％の水素が得られる）を有する水素化物タンク１２の貯蔵を利用することができ、これは、低温セルシステム（ＰＥＭなど）のような従来のシステムでは行うことができない。
【０１５４】
［三流システム］
このシステム１０は、図１１、図１２及び図１３に示されている。この場合、本発明によるシステム１０のＳＯＥＣ燃料電池１１は、（カソード流及びアノード流とは異なる冷却流体との熱交換を可能にする）上述の三流相互接続体５を含み、燃料電池１１におけるその存在は、図１１、図１２及び図１３において参照符号Ｆ３によって示されている。さらに、前記図に見られるように、燃料電池１１は上述のように、アノードＡとアノードＣとを含む。図１１、図１２及び図１３の異なる回路において以下で参照される熱伝達流体は、水素化物タンク１２からの水素の脱着に必要な熱の供給を確実にするために共有される。
【０１５５】
以下では、二水素Ｈ２回路の動作について説明し、続いて一次空気回路の動作について説明し、最後に三流相互接続体によって可能である冷却回路の動作について説明する。
【０１５６】
［二水素Ｈ２回路］
この回路は、図１１に示されている。前記図１１において、点線で表された部分は、図１２及び図１３を参照して以下に説明される一次空気回路及び冷却回路を指す。有利には、二水素回路Ｈ２は、燃料電池１１における未消費水素の再循環を可能にするループを形成する。このようにして、１００％に近い水素の転化率が得られる。
【０１５７】
三流システム１０の引出しモードにおける二水素回路Ｈ２の動作は、有利には、空気再循環システム１０について上述したものと実際上同様である。
【０１５８】
従って、図６の実施形態の例についての上記の説明を参照されたい。
【０１５９】
［一次空気回路］
この回路は、図１２に示されている。前記図１２において、点線で表された部分は、図１１及び図１３を参照してそれぞれ上及び下で説明される、二水素Ｈ２回路及び冷却回路を指す。一次空気回路は、燃料電池１１に酸素Ｏ２を供給することを目的としている。
【０１６０】
三流システム１０の引出しモードにおける一次空気回路の動作を、以下に説明する。矢印Ｆａｉｒ１で表される周囲空気は、圧縮ポンプ４８内で、２〜１５ｂａｒ、さらには８〜１２ｂａｒの作動圧力まで圧縮される。次いで、前記空気は、カソードＣのレベルで燃料電池１１内に注入される前に、燃料電池１１を出るガスによって熱交換器４７を通して予熱される。
【０１６１】
使い尽くされ（ｄｅｐｌｅｔｅｄ）加熱された空気は、燃料電池１１を出た後、燃料電池１１に入る空気が循環する熱交換器４７によって冷却される。
【０１６２】
その後、空気は、熱伝達流体ＦＣを用いて熱を回収するために、熱回収要素を形成する熱交換器４９を通過する。
【０１６３】
次に、残りの熱を除去するための可能な冷却の後に、矢印Ｆａｉｒ２によって表される大気中に送り返される前に、最大の初期圧縮作業を回復するために、空気はタービン４３を通過する。
【０１６４】
圧縮ポンプ４８及びタービン４３は、機械エネルギーの回収を最大にするために、共通の軸を有することができる。
【０１６５】
さらに、セル１１によって供給される熱が要件を満たすのに不十分である場合に追加の熱を提供するために、熱交換器４７と熱交換器４９との間に位置するＨ２タッピングに関連するバーナーを設けることが可能である。
【０１６６】
［冷却回路］
この回路は、図１３に示されている。前記図１３において、点線で表された部分は、図１１及び図１２を参照して上述した二水素Ｈ２回路及び一次空気回路を指す。より冷たいガスで冷却する回路もまた、セル１１を冷却するのに役立つ。それは、圧縮の必要性を制限するために閉回路で作動する。
【０１６７】
三流システム１０の引出しモードにおける冷却回路の動作を、以下に説明する。高温流Ｆｈｏｔは燃料電池１１を出た後、燃料電池１１に入る流入流体Ｆｉｎｃｏｍｉｎｇによって、ガス／ガス熱交換器９０を通って冷却される。その後、流れはさらに、熱伝達流体ＦＣを用いて熱を回収する担当を行う、熱回収要素を形成する別の熱交換器９１を通過する。
【０１６８】
流れは次いで、回路の水頭損失を打ち消すために、再圧縮流体Ｆｃｏｍｐｒｅｓｓｅｄによって別のガス／ガス熱交換器９２を通って完全に冷却され、次いで、圧縮ポンプ９４によって圧縮される前に、過冷却のためにさらに別の装置９３を通過する。
【０１６９】
次いで、圧縮ガス状流体は、燃料電池１１内に注入される前に、熱交換器９２及び９０で電池１１を出る流れによって予熱される。
【０１７０】
第３のチャネルＦ３として使用される流体は、考慮されるプロセスの温度範囲及び圧力範囲内の任意の非凝縮性ガスであり得ることに留意されたい。それはまた、それが接触するプロセスの様々な材料に対して非腐食性でなければならない。これらの条件を満たすように空気を選択することが好ましいが、なぜなら、それは、特定の貯蔵を必要としないという利点を有するからである。
【０１７１】
第３のチャネルＦ３は、特許文献３と同様のスタック内に一体化された熱交換器、又は、対流交換によるエンクロージャとの交換用に最適化されたスタックが使用される場合には、特許文献１に記載されたものと同様のスタックを含むエンクロージャ、又は、放射交換によるエンクロージャとの交換用に最適化されたスタックが使用される場合には、特許文献２に記載されたものと同様のスタックを含むエンクロージャを表してもよい。
【０１７２】
システム１０はまた、それが空気に対応しない場合には、流体タンクと、システム１０によって必要とされる流量が増加した場合にループに正しい圧力で流体を加えることを可能にする圧縮機と、ループ内の冷却流体の流量を減らすことを可能にする、流体タンクにパージするためのパージ弁と、を含むことができる。
【０１７３】
システム１０はまた、熱伝達流体が空気である場合には、システム１０によって必要とされる熱伝達流体の流量が増加した場合にループに正しい圧力で空気を加えることを可能にする圧縮機と、ループ内の冷却空気の流量を減らすことを可能にする、大気にパージするためのパージ弁と、を含むことができる。
【０１７４】
さらに、高温熱交換器３１、４９及び９１で追加の熱を回収する必要がある場合、水素化物タンク１２からの水素の一部を燃焼剤として一次サイクルの空気と混合させ、考慮される交換器の上流に位置する燃焼チャンバーで燃焼させることができる。
【０１７５】
有利には、三流システムは、水素を生成するのに使用される電気の起源に応じて、潜在的には脱炭酸及び／又は再生可能である電気を生成することを可能にする。さらに、水素化物タンク１２内の水素の脱着に必要な熱を発生させることを可能にし、燃料電池１１がそれ自体で十分に提供しない場合には、少量の水素を燃焼させる可能性を有する。これにより、システム１０の外部における高温熱源の必要性がなくなる。さらに、公称値付近の広い電力範囲及び／又は熱出力範囲（本明細書に記載の例では４５〜１０５％）が可能になる。
【０１７６】
最後に、上述のように、カソード空気の圧縮、故に圧縮機の消費の増加により空気再循環システムよりも低い効率が得られるが、この解決法は酸素の貯蔵を必要としない。それはまた、より高い最大空気流量（カソード空気及び熱伝達流体）に起因してより良好な最大電流密度を可能にし、それはシステムのより良好な冷却を確実にする。
【０１７７】
［実施形態の例］
ここでは、三流システム１０を用いた、引出しモードにおける水素化物タンク１２に熱的に結合されたＳＯＦＣ燃料電池１１の実施形態を説明する。以下の例で引用されている様々な値は、スタックセル並びに補助要素（ポンプ、コンバータなど）の熱力学モデルに基づいて、ＰｒｏｓｉｍＰｌｕｓソフトウェアを使用して実行されたシミュレーションからの結果である。この例におけるシステム１０の目的は、より高い効率及び広い電力範囲で電気を提供することである。水素化物タンク１２内での水素化物の貯蔵は、１０ｂａｒの圧力で行われる。発電電力の範囲は、燃料電池１１に対して、ネットワーク内に注入可能な２８〜６８ｋＷ  ＡＣ、及び３３．５〜７７．６ｋＷであり（ＬＨＶ効率は、最小電力での動作に対する８３％から最大電力での動作に対する６３％まで変化する）、得られた効率の範囲は５０〜５４％ＬＨＶ（導入された水素のより低い発熱量）である。脱着熱の補完としてＨ２バーナーが使用される。選択された冷却流体は空気である。
【０１７８】
システム１０は従って、１０ｂａｒの圧力及び３８０℃で水素化マグネシウムＭｇＨ２型の水素化物による水素の貯蔵を含み、放出されたＨ２のモル当たり７５ｋＪを消費する。交換器で回収された熱は、水素を脱着するために、並びにプロセス中の熱損失を打ち消すために使用される。水素化物タンク１２は、７５ｋＪ／（脱着されたＨ２のモル）に等しい及び３８０℃を超える温度での脱着エネルギーの供給を必要とする。高温の交換器を挟むことを考慮すると、この目的のために４００℃を超えるプロセスの熱のみを回収することができる。セル１１及びタンク１２における、補填すべき２．７ｋＷのプロセスにおける熱損失もまた、考慮に入れられる。
【０１７９】
交換器で回収された熱が不足している場合、脱着された水素の一部は、一次空気回路の熱回収要素を形成する熱交換器の上流で燃焼される。
【０１８０】
異なる流体の流量は以下のように設定された：水素Ｈ２については、流量は一定であり、１２ＮｍＬ／分／（セルのｃｍ２）に設定された；一次空気については、最大流量は１７ＮｍＬ／分／（セルのｃｍ２）である；冷却空気については、流量は０〜４８ＮｍＬ／分／（セルのｃｍ２）である。
【０１８１】
さらに、冷却戦略は以下の通りである：セル１１に入る水素の温度は一定であり、７００℃に等しい；セル１１に入る一次空気及び冷却空気の温度は一定であり、６００℃に等しい；セルの出口での温度は一定に保たれ、８５０℃に等しい；低電力では、冷却空気流量はカットされ、一次空気流量は、セルの出口で正しい温度を得るために調整される；電力が増加すると、一次空気流量は１７ＮｍＬ／分／（セルのｃｍ２）に達するように増加され、次いで、一次空気流量は４８ＮｍＬ／分／（セルのｃｍ２）の最大流量まで増加される。
【０１８２】
得られた結果は図１４のグラフに示されており、これは、ｋＷで表されるプロセスの正味電力（ＡＣ）Ｐの関数としてＮｍＬ／分／（セルのｃｍ２）で表される一次空気流量Ｄｐｒｉｍａｒｙ  ａｉｒ及び冷却空気流量Ｄｃｏｏｌｉｎｇ  ａｉｒの変化を示し、また図１５では、ｋＷで表されるプロセスの前記正味電力（ＡＣ）Ｐの関数としてパーセントで表されるプロセスの電気効率Ｒの変化を示し、最後に図１６では、ｋＷで表されるプロセスの正味電力Ｐの関数としてｋｇ／ｈで表される二水素消費量ＣＨ２の変化を示す。前記図１６において、曲線Ｃａは、総Ｈ２消費量を表し、曲線Ｃｂは、追加の熱を提供するために燃焼されたＨ２の消費量を表す。
【０１８３】
プロセスの正味電力Ｐは、セル１１及び関連するタービン（一次空気回路）の電気生成量として定義され、そこから圧縮機及び再循環器の消費量が差し引かれる。合計はシステムの出口に対して、すなわちＡＣ電力で計算される。
【０１８４】
プロセスの電気効率Ｒは、以下のように定義される：
Ｒ＝プロセスの正味電力Ｐ／［ＬＨＶＨ２＊消費されたＨ２の流量］
【０１８５】
プロセスの正味電力はセル及びタービンの生産量に対応し、そこからシステムの消費量、すなわち圧縮機、冷却ユーティリティ及びパワーエレクトロニクスの消費量が差し引かれる。
【０１８６】
システム１０は拡張された電力範囲を提案するが、なぜなら、最適効率を公称（６３．９ｋＷの正味電力で５４．１２％）とすることにより、公称の４４〜１０６％の利用可能な電力範囲が得られるからである。
【０１８７】
本プロセスは従って、水素を脱着するために外部熱供給を伴うことなく、強みとして高い水素貯蔵密度（ＭｇＨ２型の水素化物では５重量％の水素が得られる）を有する素化物タンク１２の貯蔵を利用することができ、これは、低温セルシステム（ＰＥＭなど）のようなより従来のシステムでは行うことができない。
【０１８８】
上述の空気再循環システム及び三流システムでは、スタックのセル１１の劣化を制限するために、Ｈ２利用率（セル１１によって消費される流入水素の割合）は８０％未満であることが好ましいことに留意されたい。さらに、空気流量は、燃料電池１１の出口における酸素Ｏ２含有量が少なくとも１０％となるように選択されることが好ましい。大幅な冷却が必要な場合は、平均して最大約４８ＮｍＬ／分／（セルのｃｍ２）まで空気流量を増やすことができる。
【０１８９】
さらに、空気再循環システム及び三流システムの両方について、二水素Ｈ２流量の選択に関する変動する電力需要に対応するためのシステム１０の管理は、水素Ｈ２回路上において３つの主な方法、すなわち：
−一定の利用率：消費される水素の割合が一定に保たれるように水素流量が調整される。この構成は、燃料電池の各チャネルによって許容される異なるガス（水素、空気及び冷却流体）の最大流量によって制限される；
−一定の水素Ｈ２流量：燃料電池に入る水素の流量は一定に保たれ、それは、電力の増加と共に利用率を増加させる効果を有する。この構成は、劣化を抑えるために、セルで許容される最大利用率によって制限される；
−可変の水素流量Ｈ２及び電力：システムは、セルに入る水素流量及び消費される水素の割合の両方を修正する。この構成は、特に空気流及び冷却流体流の管理に関して高度な命令及び制御を必要とするが、上記の２つのモードよりも広い電力応答範囲を提供する；
で行うことができる。
【０１９０】
一次空気流量の選択は、使用されるシステムに直接依存する。温度上昇を比較的一定に、かつ１５０℃未満に保つように維持することが好ましい。空気流量はまた、酸素の供給を確実にしなければならず、そして、燃料電池の出口で１０％の酸素を下回らないように提供され続けなければならない。
【０１９１】
三流システムに対する冷却流体流量の選択は、燃料電池内の温度上昇を最大加熱よりも下に維持するように調整される。
【０１９２】
さらに、引出しモードに関する上記の例では、水素の脱着に必要な熱の追加は、単純な回収によっては提供することができないが、水素の一部を燃焼させることによって確実にされる。電気が引出しモードでの動作中に高いコストを有する可能性があるとしても、電気加熱による供給を想定することも可能であり、これはシステムの効率に影響を与えるであろう。
【０１９３】
さらに、システム１０はダウングレードモードで作動されてもよい。特に、貯蔵モードでは、生成された水素は、水素化物タンク１２内での貯蔵以外の他の目的に使用することができる。これはしかしながら、水を蒸発させ、かつタンクによって供給される熱の不足を補うための熱源を必要し、それは生成された水素を吸収しない。それは、システムの効率を著しく低下させる電源、又は例えば付属のプロセスによって供給される外部電源であり得る。引出しモードでは、水素化物タンク１２が使い果たされると、例えば液体又は圧力貯蔵によって、別の水素源を使用することができる。そして、除去しなければならない余分な熱が存在する。それは、例えば都市暖房ネットワークへの注入によって、とりわけ第三者システムによる使用によってシステムから排出することができ、又はプロセスによって除去することができるが、その場合、例えばエアクーラーなどの追加の冷却システムが必要である。
【０１９４】
さらに、上に提示した三流システムでは、反応に必要な酸素を提供するために、カソードの空気は開放サイクルで作動する。しかしながら、空気再循環システムについて説明したのと同様の空気再循環を伴う動作も考えられ得る。これにより、カソード側の空気を圧縮する作業を減らすことが可能になり、従って効率が僅かに向上するであろう。冷却流体の流量が４８ＮｍＬ／分／（セルのｃｍ２）の２倍になるため、これはまた、考えられる２つのシステムで得られるよりも高い電流密度での動作を可能にするであろう。しかしながら、これは、カソードでの反応によって消費される量を補うために、酸素の貯蔵を必要とするであろう。
【０１９５】
エネルギー貯蔵に対して使用される設備の効率に対応する、完全な貯蔵サイクル（８７％の電気の吸収される水素への変換の最適効率（ＬＨＶ））、それに続く完全な引出しサイクル（吸収された水素の電気への変換の最適効率は、三流システムの場合には５４％、空気再循環システムの場合には６０％である）によって表される、設備の貯蔵の電気効率が考慮される場合、４７％の電気貯蔵効率（三流システム）及び５２％の電気貯蔵効率（空気再循環システム）が得られる。これは、約２０％のシステム効率を有する（ＰＥＭ又はアルカリ型の電解槽、及びＰＥＭセルからなる）低温貯蔵チェーンから期待できる効率よりも高い。
【０１９６】
もちろん、本発明は上記実施形態例に限定されない。当業者によって様々な修正がなされ得る。
【０１９７】
本発明は、多数の産業技術分野、そして主に水素の形態での電気エネルギーの貯蔵に適用することができる。そして、システム１０、特に電解槽１１及び水素化物タンク１２の寸法は、電力供給要件及び利用可能な電源に応じて選択される。
【０１９８】
システム１０は、電気生成を保証するために、有利には、例えば光起電力型及び／又は風力タービン型の再生可能エネルギーと組み合わせることができる。そのような場合、再生可能エネルギー生産の最初の供給源が例えば太陽光発電のために夜間に低すぎる場合に電気を生成し、過剰に生成されている場合にはそれを水素の形態で貯蔵する、ネットワーク注入プロファイルが提供され得る。
【０１９９】
水素化物に吸収された水素の生成専用のシステム１０を設計することが可能であり、満タンになったときにタンク１２を取り替えるが、それにもかかわらず、例えば従来の市場において電気の価格が高い場合には、電気を生成する可能性を有する。
【０２００】
さらに、上述した貯蔵及び引出しモードは、独立して、また異なる用途のために使用されてもよい。例えば、水素化物に貯蔵された水素は、水素輸送モードを構成する。従って、このプロセスを介して、統合された効率的な生成プロセスを用いて水素消費者に供給することが可能であり、そして顧客サイトでの水素の引出しは、廃熱などの外部熱供給から利益を得ることができる。
【符号の説明】
【０２０１】
１          基本電解セル
２          カソード
３          電解質
４          アノード
５          相互接続体
１０        システム
１１        高温可逆電解槽
１２        水素化物タンク
１３、３４  相分離器
１４、３６、４２、４８、９４  圧縮ポンプ
１５、１９  分離器
１６、１７、２０、２１、３０，３１、３３、３８、３９、４０、４７、４９、９０、９１、９２  熱交換器
１８        蒸気発生器
２２        電気加熱要素
３５        凝縮器
４１        第２の冷却装置
４３        タービン
５０、５１  カソード区画又はアノード区画
９３        過冷却のための装置
【図１】
2019534940.tif 000003
【図２】
2019534940.tif 000004
【図３】
2019534940.tif 000005
【図４】
2019534940.tif 000006
【図５】
2019534940.tif 000007
【図６】
2019534940.tif 000008
【図７】
2019534940.tif 000009
【図８】
2019534940.tif 000010
【図９】
2019534940.tif 000011
【図１０】
2019534940.tif 000012
【図１１】
2019534940.tif 000013
【図１２】
2019534940.tif 000014
【図１３】
2019534940.tif 000015
【図１４】
2019534940.tif 000016
【図１５】
2019534940.tif 000017
【図１６】
2019534940.tif 000018
【国際調査報告】
2019534940.tif 000019
2019534940.tif 000020
2019534940.tif 000021
2019534940.tif 000022
2019534940.tif 000023
2019534940.tif 000024